(57)【特許請求の範囲】
【請求項１】
ヒートシール性を有する積層フィルムにヒートシールを施して形成した袋体に水を充填した後密封し、身体の冷却に用いる水パッドに用いる積層フィルムであって、外側から、吸水性繊維からなる不織布、吸水性基材フィルム、ヒートシール性層の順に接着剤層を介して積層したフィルムからなり、かつ、吸水性繊維からなる不織布と吸水性基材フィルムとが、通気性を有する接着剤層により積層されてなることを特徴とする水パッド用積層フィルム。
【請求項２】
前記通気性を有する接着剤層が、不織布に二液硬化型ウレタン樹脂系無溶剤型接着剤を塗布し、しかる後、吸水性基材フィルムと貼り合わせることによって形成された二液硬化型ウレタン樹脂系無溶剤型接着剤層、または、熱接着性不織布を介した熱ラミネートにより積層した際の熱接着性不織布、または、直線状に多数平行に押し出した溶融熱可塑性樹脂による押し出しラミネートにより積層した際の直線状に多数平行に押し出した溶融熱可塑性樹脂、または、スプレー塗布のホットメルトラミネートにより積層した際のホットメルト樹脂のいずれかであることを特徴とする請求項１に記載の水パッド用積層フィルム。
【請求項３】
ヒートシール性を有する積層フィルムにヒートシールを施して形成した袋体に水を充填した後密封し、身体の冷却に用いる水パッドに用いる積層フィルムであって、外側から、吸水性繊維からなる不織布、吸水性基材フィルム、ヒートシール性層の順に接着剤層を介して積層したフィルムからなり、かつ、吸水性繊維からなる不織布と吸水性基材フィルムとが、二液硬化型ウレタン樹脂系無溶剤型接着剤を吸水性基材フィルムに全面塗布し、吸水性繊維からなる不織布を貼り合わせることにより積層されてなることを特徴とする水パッド用積層フィルム。
【請求項４】
前記水パッド用積層フィルムのヒートシール性層がヒートシール性を有する不織布からなり、かつ、吸水性基材フィルムとヒートシール性を有する不織布とが、前記通気性を有する接着剤層により積層されてなることを特徴とする請求項１から３のいずれか一項に記載の水パッド用積層フィルム。
【請求項５】
前記水パッド用積層フィルムのヒートシール性層がヒートシール性を有する不織布からなり、かつ、吸水性基材フィルムとヒートシール性を有する不織布とが、二液硬化型ウレタン系無溶剤型接着剤を吸水性基材フィルムに全面塗布、または、溶剤を含む二液硬化型ウレタン樹脂系溶剤型接着剤を吸水性基材フィルムに全面塗布、ないし部分塗布して貼り合わせることにより積層されてなることを特徴とする請求項１から４のいずれか一項に記載の水パッド用積層フィルム。
【請求項６】
前記吸水性繊維が、ナイロン、または、綿のいずれか、または、レーヨンとパルプの混合繊維からなることを特徴とする、請求項１から５のいずれか一項に記載の水パッド用積層フィルム。
【請求項７】
前記吸水性基材フィルムが、ナイロンフィルム、または、セロファンフィルムのいずれかであることを特徴とする、請求項１から６のいずれか一項に記載の水パッド用積層フィルム。
【請求項８】
前記水パッド用積層フィルムが、前記吸水性繊維からなる不織布と前記吸水性基材フィルムの間に、さらに補強用不織布による層を有し、かつ、前記吸水性繊維からなる不織布と当該補強用不織布、及び、当該補強用不織布と前記吸水性基材フィルムが通気性を有する接着剤層により積層されてなることを特徴とする請求項1から７のいずれか一項に記載の水パッド用積層フィルム。
【請求項９】
請求項１から８のいずれか一項に記載の水パッド用積層フィルムのみを使用してヒートシールにより形成した水パッド用袋体。
【請求項１０】
最内層がヒートシール性フィルムからなる積層フィルムと、請求項１から８のいずれか一項に記載の水パッド用積層フィルムとを組み合わせ、ヒートシールにより形成した水パッド用袋体。
【請求項１１】
水を収納する収納室内部に、袋体の内容積を制限するための部分的ヒートシール部からなる体積抑制ヒートシール部が、当該ヒートシール部によって袋体内部を区分すること無く設けられ、かつ、前記体積抑制ヒートシール部の幅が、前記袋体の周縁ヒートシール部の幅より狭いことを特徴とする請求項９、１０のいずれか一項に記載の水パッド用袋体。
【請求項１２】
水を収納する収納室内部に設けられたヒートシール部であって、当該袋体を用いて製造した本発明に係る水パッドに衝撃が加えられた時に、当該袋体の周縁ヒートシール部が剥離して破袋する以前に剥離する、応力検知ヒートシール部が設けられてなることを特徴とする請求項９から１１のいずれか一項に記載の水パッド用袋体。
【請求項１３】
開閉可能な注出具が設けられてなることを特徴とする請求項９から１２のいずれか一項に記載の水パッド用袋体。
【請求項１４】
開閉可能、かつ、水密性を有する口部ジッパーが設けられてなることを特徴とする請求項９から１２のいずれか一項に記載の水パッド用袋体。
【請求項１５】
収納室と、計量室の二室が、開閉可能で水密性を有する仕切りジッパーにより区分された袋体であって、かつ、計量室に開閉可能で水密性を有する口部ジッパー、または、開閉可能な注出具を設けてなることを特徴とする請求項９から１４のいずれか一項に記載の水パッド用袋体。
【請求項１６】
請求項９から１４のいずれか一項に記載の袋体に水を収納し、密封したことを特徴とする水パッド。
【請求項１７】
請求項１５記載の袋体の収納室に水を収納し、仕切りジッパー、および、口部ジッパー、または、注出具を閉じたことを特徴とする水パッド。
【発明の詳細な説明】
【技術分野】
【０００１】
本発明は、熱交換機能に優れ、過冷却することなく、肌触りの良い、水枕、ウォーターパッド等の水パッドに関する。
【背景技術】
【０００２】
従来、ゴム製の袋体に水や氷を収納し、袋体口部を金具で閉じ、タオル等で表面を覆って使用する水枕が広く用いられている。
【０００３】
また、プラスチック部材からなり、内部を区切られてなる袋体に、水の注入口と排出口を設けて、前記袋体内に冷水や温水を循環させる水パッドが考案されている。（特許文献１参照）
また、水ではなく水性ゲルを充填した袋体によるゲルパッドも考案され、広く用いられている。（特許文献２参照）
また、ウレタン樹脂製シートを重ね合わせて袋状に接着させて作成した袋体に水を充填し、使用する水パッドが販売されていて、ウレタン樹脂の有する透湿性によって袋体内部の水分が徐々に蒸発し、冷却効果が得られるとするものもある。
尚、本願明細書において、透湿性とは、袋体内部の水分を吸水性フィルムに吸水させ、袋体外部表面に徐々に滲み出させ、袋体外部表面にて蒸発させる性質を示すものとして用いる。
【先行技術文献】
【特許文献】
【０００４】
【特許文献１】実願２００８−８号公報
【特許文献２】特開２００９−７２４０４号公報
【発明の概要】
【発明が解決しようとする課題】
【０００５】
ゴム製水枕は、肌触りが劣悪なため必ずタオル等でカバーして使用する必要がある上に、ゴムの厚みも厚く、熱伝導性が悪いので氷を入れて水温を十分に下げないと身体の冷却効果が得られない。そのため、冷えすぎや、首や肩まで冷やしてしまうという問題があり、また、氷が溶けるとすぐに冷却効果が低下するため、頻繁に氷を補給する必要があるという問題がある。更には、金具を使用するため就寝時の寝返り等によって、顔面や手を傷つける恐れがあり、かつ、使用時にゴム臭く、快適な睡眠が得られ難い。
【０００６】
また、袋内に冷温水を循環させる方式は、従来よりウォーターベッド等にも用いられている技術で、快適な睡眠を得ることができる。しかし、電気を使用して水を冷却、および、加熱し、モーターで駆動するポンプを使用して水を循環させるため、装置が大掛かりでコストも高く、あまり普及していない。
また、ゲル充填パッドに至っては、ゲルの流動性が非常に低く、水のようにパッド内で対流や移動することがないため、使用開始時には冷感が得られても、数時間で身体接触部位のゲルが体温で温まって保持されてしまい、快適な睡眠は得られない。
【０００７】
また、ウレタン樹脂製水パッドは、ゴム製品に比べれば厚みが少なく、ゴムよりは体になじみやすいが、硬い感触があって、改善が望まれている。また、水の移動や対流によって氷を入れなくても水のみで冷却効果が得られるため冷えすぎを防止できるが、透湿性が低く、パッド表面で水が気化熱を奪う効果は殆ど期待できない。
【０００８】
また、水パットの材料として積層フィルムを用いて作成することが考えられる。しかし、積層方法として従来、通常用いられる、二液硬化型ウレタン樹脂の溶剤溶液を基材フィルムに塗布し、溶剤を熱風乾燥させた後、不織布を貼り合わせるドライラミネートの場合、樹脂分が吸着した溶剤を完全に除去することは不可能ある。従って、残留溶剤が発生し、特に肌に直接触れる用途では衛生面に問題がある。更には、表面材質が不織布の場合、接着剤塗布面から直接外部に残留溶剤が出てくるため、衛生面の問題に加えて溶剤臭が強く、体に纏ったり、寝具や家具のカバーに用いたりした場合に、シックハウス症候群を引き起こしたり、頭痛や体調不良を訴える人が発生してしまう問題がある。
【０００９】
更に、ドライラミネート用接着剤を不織布に塗布すると、接着剤が不織布の繊維間に染み込んで乾燥が困難となる。このことによって、残留溶剤量が異常に上昇してしまう。さらに、不織布に染み込んだ接着剤が不織布を通り抜けて接着剤塗布部の圧胴に付着し、不織布が圧胴に巻きついてしまうため貼り合わせできないといった問題を生じる。
【００１０】
また、溶融樹脂の押し出しラミネートで基材フィルムと不織布を貼り合わせると、押し出した樹脂が基材フィルムと不織布の間の水蒸気透過を阻害する。また、接着剤と比較して厚みが大きいため、熱伝導も阻害してしまうという問題がある。
【００１１】
上記現状に鑑み、本発明は、肌触りが良く、衛生性に優れ、体型に良くなじむため身体との熱交換機能に優れ、高い透湿性によって、使用雰囲気との熱交換性に優れ、かつ、冷やしすぎることの無い水パッド用積層フィルム、及び、前記水パッド用フィルムを用いた水パッド用袋体を提供することを目的とする。
【課題を解決するための手段】
【００１２】
上記のような問題点を解決すべく種々研究を重ねた結果、本発明は、ヒートシール性を有する積層フィルムにヒートシールを施して形成した袋体に水を充填した後密封し、身体の冷却に用いる水パッドに用いる積層フィルムであって、外側から、吸水性繊維からなる不織布、吸水性基材フィルム、ヒートシール性層の順に接着剤層を介して積層したフィルムからなり、かつ、吸水性繊維からなる不織布と吸水性基材フィルムとが、通気性を有する接着剤層により積層されてなることを特徴とする水パッド用積層フィルムである。
【００１３】
請求項２は、前記通気性を有する接着剤層が、不織布に二液硬化型ウレタン樹脂系無溶剤型接着剤を塗布し、しかる後、吸水性基材フィルムと貼り合わせることによって形成された二液硬化型ウレタン樹脂系無溶剤型接着剤層、または、熱接着性不織布を介した熱ラミネートにより積層した際の熱接着性不織布、または、直線状に多数平行に押し出した溶融熱可塑性樹脂による押し出しラミネートにより積層した際の直線状に多数平行に押し出した溶融熱可塑性樹脂、または、スプレー塗布のホットメルトラミネートにより積層した際のホットメルト樹脂のいずれかであることを特徴とする前記水パッド用積層フィルム。
である。
【００１４】
尚、以下の文章中、「二液硬化型ウレタン樹脂系接着剤」にはドライラミネート用の溶剤に溶かした「二液硬化型ウレタン樹脂系溶剤型接着剤」とノンソルベントラミネート用の「二液硬化型ウレタン樹脂系無溶剤型接着剤」の双方があることに注意を要する。
また、「通気性を有する接着剤層」とは、基材フィルム全面をフィルム状の接着剤が覆った、孔の無いフィルム状の接着剤塗膜を形成した状態ではなく、接着剤層がパターン状、ドット状、線状等、部分的に形成されていて、基材フィルムに接着剤が付着していない部分が存在するように形成した接着剤層をいう。
また、孔が無く、従って通気性の無い薄膜をフィルムと称する。従って、不織布には通気性があるが、不織布とフィルムを貼り合わせた積層体には通気性が無いので積層フィルムと称する。
【００１５】
請求項３は、ヒートシール性を有する積層フィルムにヒートシールを施して形成した袋体に水を充填した後密封し、身体の冷却に用いる水パッドに用いる積層フィルムであって、外側から、吸水性繊維からなる不織布、吸水性基材フィルム、ヒートシール性層の順に接着剤層を介して積層したフィルムからなり、かつ、吸水性繊維からなる不織布と吸水性基材フィルムとが、二液硬化型ウレタン樹脂系無溶剤型接着剤を吸水性基材フィルムに全面塗布し、吸水性繊維からなる不織布を貼り合わせることにより積層されてなることを特徴とする水パッド用積層フィルムである。
【００１６】
請求項４は、前記水パッド用積層フィルムのヒートシール性層がヒートシール性を有する不織布からなり、かつ、吸水性基材フィルムとヒートシール性を有する不織布とが、前記通気性を有する接着剤層により積層されてなることを特徴とする水パッド用積層フィルムである。
【００１７】
請求項５は、前記水パッド用積層フィルムのヒートシール性層がヒートシール性を有する不織布からなり、かつ、吸水性基材フィルムとヒートシール性を有する不織布とが、二液硬化型ウレタン系無溶剤型接着剤を吸水性基材フィルムに全面塗布、または、溶剤を含む二液硬化型ウレタン樹脂系溶剤型接着剤を吸水性基材フィルムに全面塗布、ないし部分塗布して貼り合わせることにより積層されてなることを特徴とする水パッド用積層フィルム。
【００１８】
請求項６は、前記吸水性繊維が、ナイロン、または、綿のいずれか、または、レーヨンとパルプの混合繊維からなることを特徴とする水パッド用積層フィルムである。
【００１９】
請求項７は、前記吸水性基材フィルムが、ナイロンフィルム、または、セロハンフィルムのいずれかであることを特徴とする水パッド用積層フィルムである。
【００２０】
請求項８は、前記水パッド用積層フィルムが、前記吸水性繊維からなる不織布と前記吸水性基材フィルムの間に、さらに補強用不織布による層を有し、かつ、前記吸水性繊維からなる不織布と当該補強用不織布、及び、当該補強用不織布と前記吸水性基材フィルムが通気性を有する接着剤層により積層されてなることを特徴とする水パッド用積層フィルムである。
【００２１】
請求項９は、前記水パッド用積層フィルムのみを使用してヒートシールにより形成した水パッド用袋体である。
【００２２】
請求項１０は、最内層がヒートシール性フィルムからなる積層フィルムと、前記水パッド用積層フィルムとを組み合わせ、ヒートシールにより形成した水パッド用袋体である。
【００２３】
請求項１１は、水を収納する収納室内部に、袋体の内容積を制限するための部分的ヒートシール部からなる体積抑制ヒートシール部が、当該ヒートシール部によって袋体内部を区分すること無く設けられ、かつ、前記体積抑制ヒートシール部の幅が、前記袋体の周縁ヒートシール部の幅より狭い前記水パッド用袋体である。
【００２４】
請求項１２は、水を収納する収納室内部に設けられたヒートシール部であって、当該袋体を用いて製造した本発明に係る水パッドに衝撃が加えられた時に、当該袋体の周縁ヒートシール部が剥離して破袋する以前に剥離する、応力検知ヒートシール部が設けられてなる前記水パッド用袋体である。
【００２５】
請求項１３は、開閉可能な注出具が設けられてなる前記水パッド用袋体である。
【００２６】
請求項１４は、開閉可能、かつ、水密性を有する口部ジッパーが設けられてなる前記水パッド用袋体である。
【００２７】
請求項１５は、収納室と、計量室の二室が、開閉可能で水密性を有する仕切りジッパーにより区分された袋体であって、かつ、計量室に開閉可能で水密性を有する口部ジッパー、または、開閉可能な注出具を設けてなることを特徴とする水パッド用袋体である。
【００２８】
請求項１６は、前記の袋体に水を収納し、密封した前記水パッド用袋体である。
【００２９】
請求項１７は、前記の袋体の収納室に水を収納し、仕切りジッパー、および、口部ジッパー、または、注出具を閉じた水パッドである。
【発明の効果】
【００３０】
本発明の請求項１に係る水パッド用積層フィルムは、表面が吸水性繊維からなる不織布であるため肌触りが良好であり、その内側に吸水性基材フィルムが、通気性を有する接着剤層によって貼り合わされていることにより、吸水性繊維からなる不織布と、吸水性基材フィルムが吸放湿するので吸汗性、熱交換性に優れる。
【００３１】
また、請求項２に係る発明によれば、二液硬化型ウレタン樹脂系無溶剤型接着剤を不織布に塗布し、しかる後、吸水性基材フィルムを貼り合わせることによって形成された二液硬化型ウレタン樹脂系無溶剤型接着剤層とすることで、接着剤の塗布が不織布表面の吸水性基材フィルムとの接触面のみに、かつ、接触面全面に行われる。従って、従来のフィルム全面に接着剤を塗布する貼り合わせ方法と比較して、貼り合わせ面に吸水性基材フィルム面が露出するので、吸水性基材フィルムの吸水性、および、吸湿性が顕著に増大し、しかも、基材フィルム全面に接着剤を塗布した場合と同等の接着強度を得ることができる。更に、身体に接触する面の吸水性繊維からなる不織布と吸水性基材フィルムとの貼り合わせに用いれば、接着剤の残留溶剤を含まないため、臭気が少ないので快適に使用でき、かつ、衛生的にも優れる。
【００３２】
また、熱接着性不織布を介した熱ラミネートにより積層した際の熱接着性不織布、または、直線状に多数平行に押し出した溶融熱可塑性樹脂による押し出しラミネートにより積層した際の直線状に多数平行に押し出した溶融熱可塑性樹脂、または、スプレー塗布のホットメルトラミネートにより積層した際のホットメルト樹脂のいずれかの通気性を有する接着層の場合は、貼り合わせ面に吸水性基材フィルム面が露出する。従って、吸水性基材フィルムの吸水性、および、吸湿性が顕著に増大する。更に、身体に接触する面の吸水性繊維からなる不織布と吸水性基材フィルムとの貼り合わせに用いれば、接着剤の残留溶剤を含まないため、臭気が少ないので快適な睡眠を得ることができ、かつ、衛生的にも優れる。
【００３３】
また、請求項３に係る発明によれば、水パッド用積層フィルムは、表面が吸水性繊維からなる不織布であるため肌触りが良好である。また、その内側に吸水性基材フィルムが、水蒸気透過度や吸水性に影響の少ない接着剤層によって貼り合わされていることにより、吸水性繊維からなる不織布と、吸水性基材フィルムが吸放湿するので吸汗性、熱交換性に優れる。
【００３４】
また、請求項４に係る発明によれば、通常のヒートシール性フィルムを貼り合わせた場合と比較して、吸水性基材フィルム両面の当該フィルム面が露出する。従って、積層フィルムの水蒸気透過度が大幅に向上するとともに、吸水性、吸湿性、および、放湿性能が大幅に向上し、それにより水の気化熱による水パッドの冷却効果も大幅に増加して熱交換機能が顕著に向上する。また、積層フィルムの柔軟性も向上して、より快適な使用感が得られる水パッド用積層フィルムを提供できる。
【００３５】
また、請求項５に係る発明によれば、通常のヒートシール性フィルムを貼り合わせた場合と比較して、積層フィルムにおける吸水性基材フィルムのヒートシール性フィルムを貼り合わせた面の水蒸気透過度及び吸水性の低下が抑えられる。従って、積層フィルムの水蒸気透過度が向上するとともに、吸水性、吸湿性、および、放湿性能が向上し、それにより水の気化熱による水パッドの冷却効果に増加して熱交換機能が顕著に向上する。また、積層フィルムの柔軟性も向上して、より快適な使用感が得られる水パッド用積層フィルムを提供できる。
【００３６】
また、請求項６に係る発明によれば、肌触りの優れた水パッドを提供できる。
【００３７】
また、請求項７に係る発明によれば、吸放湿性能に優れた水パッドを提供できる。
【００３８】
また、請求項８に係る発明によれば、前記吸水性繊維からなる不織布の内側に、通気性を維持した状態で補強用不織布と貼り合わせることにより、使用感を損ねることなく、丈夫な水パッド用積層フィルムを提供できる。
【００３９】
また、請求項９に係る発明によれば、水パッドにした時に、身体に接触した面の反対面からも袋体が放湿できる。従って、体に載せたり、巻き付けたりして使用することによって、水の気化熱による水パッドの冷却効果を大きくできる袋体が得られる。
【００４０】
また、請求項１０に係る発明によれば、水パッドにした時に、透湿性が低い面を下にすれば、枕やベッドの上に敷いて使用しても、枕やベッドが湿ってしまうことがない袋体が得られる。
【００４１】
また、請求項１１に係る発明によれば、水パッドにした時に、水パッドに充填する水の量を少なくすることができる、従って、水パッドが重くなりすぎることを防止でき、かつ、前記水パッドの破袋防止に効果があると共に、前記水パッドの破袋による水漏れを未然に防止できる可能性がある袋体が得られる。
【００４２】
また、請求項１２に係る発明によれば、前記水パッドの破袋による水漏れを未然に防止できる可能性がある袋体が得られる。
【００４３】
また、請求項１３、および、１４に係る発明によれば、開閉自在な注出具、または、ジッパーを介して袋体への水の出し入れが容易になる。また、密封も容易になり、使用者が自ら袋体に水を充填できることから、使用直前まで水を収納していない状態で輸送、および、保管ができるので、軽く、持ち運びが容易である。
【００４４】
また、請求項１５に係る発明によれば、袋体に充填する水の量を、道具や器具を用いることなく計量できる。従って、水の入れすぎによる破袋や、水の少なすぎによる冷却能力の低下を防止でき、かつ、二重の封緘機構によって、不用意な水漏れを防止することができる。
【００４５】
また、請求項１６、および、１７に係る発明によって、肌触りが良く、衛生性に優れ、体型に良くなじむため身体との熱交換機能に優れ、高い透湿性によって、使用雰囲気との熱交換性に優れ、かつ、冷やしすぎることの無い水パッドを得ることができ、快適に、かつ、安全に使用することができる。
【００４６】
更に、巻取り形態の積層フィルムを加工して袋体を形成するため、従来からある巻取り供給方式の連続加工装置を使用できる。従って、従来の冷却パッドのシート加工と比較して生産効率が飛躍的に向上するのみならず、袋体形状設計の自由度も非常に大きく、使用場所や使用部位に応じた袋体の形状や形態の設計を行える。また、シート加工ではほぼ不可能であった包装材料用ジッパーの取り付けができる。また、注出具取り付け装置、充填装置も、特別な設計を必要とせず、食品包装用装置を流用することができ、簡便に製造できる。
【図面の簡単な説明】
【００４７】
【図１】本発明に係る水パッド用積層フィルムの構成を示す概略断面図である。
【図２】本発明に係る補強用不織布を貼り合わせた水パッド用積層フィルムの構成を示す概略断面図である。
【図３】本発明に係る水パッド用積層フィルムにおいて、不織布に無溶剤型接着剤を塗布して吸水性基材フィルムを貼り合わせた場合の接着状態を示す模式図である。
【図４】本発明に係る水パッド用積層フィルムにおいて、吸水性基材フィルムに接着剤を塗布して不織布を貼り合わせた場合の接着状態を示す模式図である。
【図５】本発明に係る水パッド用積層フィルムを用いて製造した三方シール袋の概略外観図である。
【図６】本発明に係る水パッド用積層フィルムを用いて製造したピロー袋の概略外観図である。
【図７】本発明に係る水パッド用積層フィルムを用い、従来の水枕に形状を似せて製造した、変形三方シール袋の概略外観図である。
【図８】本発明に係る水パッド用積層フィルムを用い、Ｔ字形状に製造した、変形三方シール袋の概略外観図である。
【図９】本発明に係る水パッド用積層フィルムを用いて製造した三方シール袋に水を収納し、開口部をヒートシールして密封した、本発明に係る水パッドの概略外観図である。
【図１０】本発明に係る水パッド用積層フィルムを用いて製造した、体積抑制ヒートシール部を有する三方シール袋に水を収納し、開口部をヒートシールして密封した、本発明に係る水パッドの概略外観図である。
【図１１】本発明に係る水パッド用積層フィルムを用いて製造した、体積抑制ヒートシール部を有する口部ジッパー付き変形三方シール袋、または、当該袋に水を収納し、口部ジッパーを閉じて密封した本発明に係る水パッドの概略外観図である。
【図１２】本発明に係る水パッド用積層フィルムを用いて製造した、応力検知ヒートシール部を有する注出具付き三方シール袋、または、当該袋に水を収納した、本発明に係る水パッドの概略外観図である。
【図１３】本発明に係る水パッド用積層フィルムを用いて製造した、仕切りジッパーにより区分され、口部ジッパーを有する計量室を備えた、体積抑制ヒートシール部、および、応力検知ヒートシール部を有する三方シール袋、または、当該袋の収納室に水を収納した、本発明に係る水パッドの概略外観図である。
【図１４】本発明に係る水パッド用積層フィルムを用いて製造した、仕切りジッパーにより区分され、注出具を有する計量室を備えた、体積抑制ヒートシール部を有する注出具付き袋、または、当該袋の収納室に水を収納した、本発明に係る水パッドの概略外観図である。
【図１５】本発明に係る水パッド用積層フィルムを用い、十字架形状に製造した、体積抑制ヒートシール部を有する変形三方シール袋の概略外観図である。
【図１６】本発明に係る水パッド用積層フィルムを用いて製造した、ＰＥＴボトルのキャップ型注出具と、体積抑制ヒートシール部とを有する注出具付き袋、または、当該袋の収納室に水を収納した、本発明に係る水パッドの概略外観図である。
【図１７】一般的なノンソルベントラミネーターの概略図である。
【発明を実施するための形態】
【００４８】
上記の本発明について、図面等を用いて以下に詳しく説明する。
【００４９】
（貼り合わせ方法）
本発明に係る水パッド用積層フィルムは、図１に概略を示すように、接着剤層を介して吸水性繊維からなる不織布と吸水性基材フィルムとヒートシール性層とを貼り合わせた構造を有し、図２は同じく接着剤層を介して前記吸水性繊維からなる不織布と吸水性基材フィルムの中間に補強用不織布を貼り合わせた場合の概略図である。
貼り合わせ方法としては、通常のフィルム同士を貼り合わせる場合と同様の、ドライラミネート、溶融ポリオレフィン樹脂の押し出しラミネート、ホットメルトラミネート、および、ノンソルベントラミネート等や、特に不織布の貼り合わせ方法として用いられる、直線状に多数平行に押し出した溶融熱可塑性樹脂による押し出しラミネート、熱接着性不織布を介した熱ラミネート、および、スプレー塗布のホットメルトラミネート等を用いることができ、従って、接着剤層としては、二液硬化型ウレタン樹脂系接着剤、ポリオレフィン樹脂、ホットメルト樹脂、熱接着性樹脂等を用いることができる。
【００５０】
ドライラミネートを用いる場合、接着剤として、溶剤に溶かした二液硬化型ウレタン樹脂系溶剤型接着剤を使用するが、不織布に接着剤を塗布すると、接着剤が不織布に浸透してローラーに付着し、不織布がローラーに巻き付いてしまうため、吸水性基材フィルムに接着剤を塗布して不織布を貼り合わせる。
通常、接着剤は吸水性基材フィルムの全面に塗布するが、パターン塗布しても構わない。
吸水性基材フィルムの全面に接着剤を塗布した場合、吸水性基材フィルムの全面に接着剤の膜が形成されるため、吸水性基材フィルムの吸水性を若干低下させてしまうが、ウレタン樹脂は吸水性があり、かつ、塗布膜厚も数μｍであるため、積層フィルムの透湿性に与える影響は小さいことから、好適に用いることができる。
接着剤の塗布量が多すぎると積層フィルムが硬くなって触感が劣化し、少なすぎると不織布の接着強度が低下してしまうので、接着剤の塗布量は、基材フィルム全面に塗布する場合１ｇ／ｍ2〜５ｇ／ｍ2の範囲であるのが好ましく、特に１ｇ／ｍ2〜３ｇ／ｍ2が好適である。
【００５１】
尚、身体に接する面の吸水性繊維からなる不織布を貼り合わせる場合は、残留溶剤による臭気や衛生性に注意する必要があるが、吸水性基材フィルムとヒートシール性層の貼り合わせや、フィルム同士の貼り合わせには好適に使用できる。
接着剤をパターン塗布して不織布と貼り合わせれば、貼り合わせ面に吸水性基材フィルムが露出するため、吸水性基材フィルムの吸水性を生かすことができ、好ましいが、不織布と基材フィルムとの貼り合わせ面積が減少するため、貼り合わせ強度に注意して塗布面積率や塗布パターンを設計すると良い。
尚、パターン塗布であっても、身体に接する面の吸水性繊維からなる不織布を貼り合わせる場合は残留溶剤に注意する必要がある。
【００５２】
溶融ポリオレフィン樹脂の押し出しラミネートは、残留溶剤が殆ど無く、また、溶融樹脂が不織布の繊維に絡みついて大きな貼り合わせ強度が得られるので好適に用いることができる。また、ドライラミネートで貼り合わせた積層フィルムより柔軟性があり、好ましい。
押し出し樹脂の厚みは、厚すぎると袋体内の水と身体との熱伝導を阻害し、薄すぎると十分な貼り合わせ強度が得られないため、５μｍ〜３０μｍの範囲であると良く、特に８μｍ〜２５μｍの範囲であれば好適である。
但し、吸水性基材フィルム表面全体を透湿度が低いポリオレフィン樹脂で覆ってしまうので、冷えすぎを避けたい用途や、寝具や器具に水分が移行するのを防止したい用途に用いると良い。
【００５３】
また、直線状に多数平行に押し出した溶融熱可塑性樹脂による押し出しラミネートを用いた貼り合わせ方法がある（例えば、特開平１０−１２９７３９）。この方法を用いて不織布と吸水性基材フィルムとを貼り合わせることにより、吸水性基材フィルム表面の一部が露出した状態で大きな貼り合わせ強度が得られ、吸水性、および、放湿性に優れた水パッド用積層フィルムを得られるので、冷却効果の大きい水パッドを製造することができる。
【００５４】
ホットメルトラミネートを用いる場合、ホットメルト樹脂は特に限定する必要がなく、通常不織布の貼り合わせに用いるエチレン酢酸ビニル共重合体樹脂等、ポリオレフィン系ホットメルト樹脂を使用して構わない。
ホットメルト剤を吸水性基材フィルムの全面に塗布する場合、前記溶融ポリオレフィン樹脂の押し出しラミネートと同じ効果が得られる。ホットメルト樹脂をスプレー塗布、線状塗布、または、点状塗布することによって、吸水性基材フィルム表面の一部が露出した状態で大きな貼り合わせ強度が得られる。吸水性、および、放湿性に優れた水パッド用積層フィルムを得られるので、冷却効果の大きい水パッドを製造することができる。特にスプレー塗布による貼り合わせ方法が、柔軟性、貼り合わせ強度の点で優れている。
ホットメルト樹脂の塗布量は、塗布方法によっても異なり、多すぎると柔軟性が損なわれ、少なすぎると接着強度が低くなってしまうため、一般的には１ｇ／ｍ2〜２０ｇ／ｍ2、好ましくは２ｇ／ｍ2〜１５ｇ／ｍ2の範囲内で柔軟性、接着強度等を勘案しながら決定すると良い。
【００５５】
ノンソルベントラミネートを用いる場合、接着剤として、二液硬化型ウレタン樹脂系無溶剤型接着剤、または、一液硬化型無溶剤型樹脂系接着剤を使用する。ドライラミネートと異なり、残留溶剤が無いため、溶剤臭が無く、シックハウス症候群にも罹りにくいので衛生的に優れている。従って、身体に接触する面の水パッド用積層フィルムの、吸水性繊維からなる不織布と吸水性基材フィルムの貼り合わせにも好適に用いることができる。
また、ドライラミネートと比較して接着剤の塗布粘度が高いため、吸水性基材フィルムに接着剤を塗布して不織布を貼り合わせる以外に、不織布に接着剤を塗布して吸水性基材フィルムを貼り合わせることでき、通気性を有する接着剤層を形成することが可能となる。接着剤を不織布に塗布し、前記無溶剤型接着剤塗布面に吸水性基材フィルムを貼り合わせる場合、接着剤は不織布表面に露出した繊維の表面にしか塗布されず、従って、不織布と吸水性基材フィルムとが接触する部分にのみ接着剤が塗布される。従って、貼り合わせ面において吸水性基材フィルムに接着剤が付着せず露出している部分が形成され、吸水性基材フィルムの吸湿性、吸水性、または、放湿性を生かすことができる。図３は、本発明に係る水パッド用積層フィルムの吸水性基材フィルムと不織布を構成する繊維の接着状態を示す模式図、図４は吸水性基材フィルム全面に接着剤を塗布し、不織布を貼り合わせた水パッド用積層フィルムの吸水性基材フィルムと不織布を構成する繊維の接着状態を示す模式図である。接着剤を不織布に塗布し、吸水性基材フィルムを貼り合わせる場合、不織布と吸水性基材フィルムとは、互いにほぼ接触する部分のみで接着しているため、不織布と吸水性基材フィルムとは略線接着している。線でのみ接着しているということで、貼り合わせ強度が不足しているようにも思えるが、実際は従来の製造方法と同じ接着状態であって、本発明に係る透湿性フィルムのラミネート強度は劣っていない。
【００５６】
不織布に接着剤を塗布する場合の接着剤の塗布量は、多すぎると貼り合わせたフィルムが硬くなって、不織布の柔らかな風合いが損なわれたり、吸水性基材フィルムの露出面積が減少したりする問題を生じる。また、不織布が薄い場合は接着剤の裏抜けが生じて貼り合わせ後の巻き取りがブロッキングを起こしてしまう。このような現象は、同じ塗布量であっても、不織布の坪量が大きければ発生せず、坪量が小さければ発生し易い。また、少なすぎる場合は、当然接着強度が低下する。しかし、不織布の表面状態は、不織布の種類によって千差万別である。例えば、ナイロン長繊維不織布の表面は繊維がむき出しで、平滑性が殆ど無い不織布の場合、接着剤が塗布されるコーティングロールと接触する部分の面積の割合が非常に少なくなる。このような場合、面積あたりの塗布量が通常のフィルム全面に接着剤を塗布する時の半分であっても、不織布表面の繊維に付着している接着剤の量はかなり多くなっている。また、フラッシュ紡糸・サーマルボンド方式の不織布や、パルプ分を多く含む不織布は、グラビア印刷を施すことができるほど平滑性が高く、このように平滑性が高い不織布に接着剤を塗布する場合は可能な限り塗布量を少なくすると良い。但し、無溶剤型接着剤は、貼り合わせ直後の、初期タック力が非常に弱く、貼り合わせ面が部分的に幅数ｍｍのパイプ状に剥離してしまう、トンネリングに注意が必要である。このように、本発明に係る不織布面への無溶剤型接着剤の塗布量を一概に決定することはできないが、経験的に、広くは０．２ｇ／ｍ2〜５．０ｇ／ｍ2の範囲で、好ましくは０．５ｇ／ｍ2〜３．０ｇ／ｍ2の範囲で貼り合わせを実施し、ブロッキングの有無や、貼り合わせたフィルムの風合いを見ながら、適宜塗布量を変更し、対応する必要がある。
【００５７】
また、本発明に係る無溶剤型接着剤による貼り合わせに用いる装置としては、図１７に示す一般的なノンソルベントラミネーターを使用することができる。
【００５８】
吸水性基材フィルムに接着剤を塗布する場合、吸水性基材フィルムの全面に接着剤の膜が形成されるため、吸水性基材フィルムの吸水性を若干低下させてしまう。しかし、ウレタン樹脂は吸水性があり、かつ、塗布膜厚も数μｍであるため、積層フィルムの透湿性に与える影響は小さいことから、好適に用いることができる。
接着剤の塗布量が多すぎると積層フィルムが硬くなって触感が劣化し、少なすぎると不織布の接着強度が低下してしまう。従って、接着剤の塗布量は、基材フィルム全面に塗布する場合１．０ｇ／ｍ2〜５．０ｇ／ｍ2の範囲であるのが好ましく、特に１．０ｇ／ｍ2〜３．０ｇ／ｍ2が好適である。
【００５９】
（吸水性基材フィルム）
吸水性基材フィルムに求められる性能は、吸水性、と水蒸気透過度、及び、これらを勘案した透湿性である。
本発明に係る水パッドは、袋体に水を充填し、熱伝導を悪化させるヘッドスペースの空気を袋体内から極力排除して、水パッド内面の積層フィルムのほぼ全面に水が接触した状態で使用すると良い。
一般的にフィルムの透湿性の指標として水蒸気透過度が用いられる。水蒸気透過度の測定方法の基本は、被検フィルムの片面側を一定の高湿度状態に、残りの片面側を略絶乾状態に保ち、乾燥側に水蒸気がどれだけ透過するかを測定するもので、水蒸気の透過量が平衡状態の時の一定面積あたりの水蒸気透過重量を時間で割って表されている。
この表現方法は、被検フィルムが吸収した水蒸気の、厚み方向の濃度勾配が平衡に達してから後の水蒸気移動量を測定するものである。従って、比較的長期間の透湿性を判断するのに適している。例えば、乾燥食品や、液状医薬品の包装材料の仕様を設計する際には大いに参考となる。しかし、例えば、汗をかいた人間がフィルム上に座った場合、水で濡れた手にフィルムを被せる場合、焼きたてのパンをフィルムで包装した場合等、短時間における大量の水蒸気透過量や水分吸収量を判断するのには適しておらず、更には、当然ながら、フィルムに直接水が接触している場合の水分透過量は表現されていない。
【００６０】
このように大量の水蒸気あるいは水の透過性能を表現するのに適当な尺度はフィルムの吸水性であり、吸水性はほぼ吸水率の高さに置き換えて表現できる。但し、例えば、金属酸化物を蒸着したナイロンフィルムは、基材となるナイロンフィルムの吸水率が高いためデータ上の吸水率は高くても、金属酸化物蒸着膜の水蒸気透過度が非常に低いため、吸水性は良好であると言えない。このような現象は、ポリ塩化ビニリデンコートフィルム等、疎水性塗布膜を有するフィルムにも当てはまり、本発明に係る水パッドの身体に接触する面の積層フィルムには用いない。従って、本発明で用いる吸水性基材フィルムを選定する際は、吸水性と水蒸気透過度の双方を参考にする必要がある。
吸水性の指標としては、フィルムの吸水率が５％以上、好ましくは８％以上あると更に良い。
フィルムの吸水率の測定方法は、適当な大きさに切り取ったフィルムを室温近辺の一定の温度下で乾燥剤入りデシケーター内で保存した後、重量を測定して乾燥重量とし、前記乾燥温度と同じ温度の蒸留水にフィルムを一定時間浸漬した後蒸留水から取り出し、表面を紙製ワイパー等で拭いてから重量を測定して湿潤重量とし、乾燥重量に対する、湿潤重量から乾燥重量を引いた値の割合で表現した一般的なものである。本発明においては、乾燥温度、および、蒸留水の温度を３０℃、デシケーター内での乾燥時間、および、蒸留水への浸漬時間を２４時間として測定した。
【００６１】
透湿性は、フィルムの水蒸気透過度も参考になる。厚さが変わると水蒸気透過度も変わってしまい、例えば厚さ２．５μｍのポリエチレンテレフタレイトフィルムの水蒸気透過度が２００ｇ／ｍ2・日で、厚さ１００μｍのナイロンフィルムの水蒸気透過度が１００ｇ／ｍ2・日で、厚さ１００μｍのナイロンフィルムの方が水蒸気透過度が低くても、吸水性基材フィルムとしては厚さ１００μｍのナイロンフィルムの方が優れているので、水蒸気透過度を参考にする場合、コーティングフィルムでなければ、基準となる厚さを設けて、基準となる厚さにおける水蒸気透過度を計算して判断すると良い。例えば、本発明に係る吸水性基材フィルムとして用いるフィルムの水蒸気透過度は、２５μｍ換算で１００ｇ／ｍ2・日以上あると良く、２００ｇ／ｍ2・日以上あれば更に好適に用いることができる。
尚、例えば、セロハンフィルム等、表記方法が厚さではなく坪量である場合には、実際のフィルムの厚さと水蒸気透過度を測定すれば良い。
【００６２】
吸水性と透湿性に優れるフィルムとしては、ナイロンフィルム、または、プレーンセロハンフィルム等のフィルムや、これらのフィルムに透湿性や吸湿性を阻害しない範囲でコーティングを施したフィルムを挙げることができる。親水性酸素バリア層をコーティングしたナイロンフィルムとしては、例えば、製品名「コーバリア」（株式会社興人製）、製品名「クラリスタN」（株式会社クラレ製）、製品名「ベセーラＥＡ」（株式会社クレハ製）、製品名「ＨＯＮ（ダイセルバリューコーティング株式会社製）等の酸素バリア層コートナイロンフィルムも好適に使用できる。但し、ポリ塩化ビニリデンコートフィルム、金属酸化物蒸着フィルム、金属蒸着フィルム等、水蒸気の透過を阻害する皮膜が設けられているフィルムは、水蒸気透過度が低く、用いない。
【００６３】
また、コーティングを施していないナイロンフィルムには、未延伸ナイロンフィルム、二軸延伸ナイロンフィルム、ＭＸＤナイロンフィルム、ＭＸＤナイロン共押しナイロンフィルム、ＭＸＤナイロンブレンドナイロンフィルム、および、エチレン・ビニルアルコール共重合体共押しナイロンフィルムがあって、いずれのフィルムも吸水率は１０％以上あって、好適に使用することができる。
尚、疎水性や吸水率が低い物質の塗膜であっても、厚さが非常に薄く吸水性基材フィルムの水蒸気透過度や吸水性に与える影響が殆ど無ければ、プライマー、アンカーコート剤、および、ヒートシール剤等を使用しても差し支えない。但し、塗布厚の許容値は、その塗膜の性質により異なるので、実際に透湿性フィルムを製造して確認する必要がある。
【００６４】
また、吸水性基材フィルムには、公知の方法で文字や絵柄の印刷を施すことや、帯電防止剤、撥水剤等の表面改質剤を塗布することもできる。しかし、不織布には厚薄があるので、文字や絵柄の印刷等、微細な再現性や均一性が必要な場合は、不織布と貼り合わせる前に、吸水性基材フィルム単独で印刷やコーティングを施すと良いこともある。印刷やコーティングに際しては、透湿性や吸湿性に与える影響を考慮し、場合によってはパターンコートを施す、塗布膜の厚さを極力薄くする等の工夫をすると良い。
【００６５】
また、吸水性基材フィルムには、吸水性基材フィルム同士を積層したフィルムを用いることもできる。
吸水性基材フィルムを積層して積層吸水性基材フィルムとする場合、透湿性がなるべく低下しないように工夫して貼り合わせることが必要である。
具体的には、接着剤の塗布量を極力少なくする、接着剤を部分塗布するなどして、吸水性フィルムの透湿性を可能な限り利用できる貼り合わせ方法を用いると良い。特に、ドライラミネート、パターン塗布ドライラミネート、ノンソルベントラミネート、スプレー塗布や線状塗布等の部分塗布によるホットメルトラミネート、または、直線状に多数平行に押し出した溶融熱可塑性樹脂による押し出しラミネート等の方法を、好適に用いることができる。
【００６６】
また、吸水性フィルムは吸湿することによって柔軟性が増すことからも、身体に接触する用途に適している。二軸延伸ポリエチレンテレフタレイトフィルム、二軸延伸ポリプロピレンフィルム等、殆ど吸水性が無い基材フィルムは、不織布を貼り合わせてもゴワゴワした感触が残る。
【００６７】
尚、吸水性基材フィルムとしてプレーンセロハンフィルムを用いる場合、これらのフィルムが袋体内の水に直接触れるとヒートシール性層が剥離してしまうので、ヒートシール性を有する不織布を貼り合わせる場合は溶融ポリオレフィン樹脂の押し出しラミネートを用い、その他の貼り合わせ方法を用いる場合はヒートシール性層にヒートシール性フィルムを用いると良い。
【００６８】
（吸水性繊維からなる不織布）
本発明に係る吸水性繊維からなる不織布は、湿式、乾式、直接式といった製造方法、長繊維、短繊維といった繊維長は問わない。用途により、硬さや肌触りの良さといった、使用者の使い勝手に応じて選定すれば良い。
特に、肌触りが良い、ナイロン、綿、または、レーヨンとパルプの混合繊維からなる不織布は体に纏う用途に用いると良く、肌触りを阻害しない範囲であれば、補強用、ヒートシール用等の機能繊維を混抄しても良い。特に肌触りがよいのは、上記繊維から、接着剤を用いず、サーマルボンド方式、ニードルパンチ方式、ウォーターパンチ方式等により製造した不織布である。
本発明において用いる吸水性繊維からなる不織布の坪量に特に制限は無く、要求される吸湿性能、物理的強度、コスト等を勘案して選定し、通常は１０ｇ／ｍ2〜１２０ｇ／ｍ2、好ましくは２０ｇ／ｍ2〜８０ｇ／ｍ2の範囲であれば好適に使用でき、特に保温性や、吸水性を要求される場合は１２０ｇ／ｍ2を超える不織布を用いたり、不織布を複数枚貼り合わせて用いたりしても良い。
また、吸水性繊維からなる不織布には、公知の方法で文字や絵柄の印刷を施すことや、帯電防止剤、撥水剤等の表面改質剤を塗布することもできるが、印刷やコーティングに際しては、透湿性、吸湿性や肌触りに与える影響を考慮し、場合によってはパターンコートを施す等の工夫をすると良い。
【００６９】
（補強用不織布）
本発明における補強用不織布としては、湿式、乾式、直接式といった製造方法や、サーマルボンド方式、ニードルパンチ方式、ウォーターパンチ方式等の接合方式は問わないが、強度の点で長繊維不織布を好適に用いることができ、不織布として広く用いられている、ポリエチレンテレフタレート、ナイロン、ポリプロピレン等のサーマルボンド不織布やスパンボンド不織布は元より、クラフト紙製袋の補強や、乾燥剤用包装材料の補強に用いる、空隙の多い、タテ・ヨコに繊維が交差している直交不織布（例えば、製品名「ミライフ」、ＪＸ日鉱日石ＡＮＣＩ株式会社製）、割繊維不織布（例えば、製品名「ワリフ」、ＪＸ日鉱日石ＡＮＣＩ株式会社製）、および、ネット状に繊維を交差させた不織布（例えば、製品名「コンウェッドネット」、ＪＸ日鉱日石ＡＮＣＩ株式会社製）等は特に好適に用いることができる。
【００７０】
このような空隙の多い不織布であっても、前記の貼り合わせ方法を用いて、本発明に係る水パッド用積層フィルムを製造することができるが、吸水性基材フィルムの吸放湿を妨げないようにするため、不織布に二液硬化型ウレタン樹脂系無溶剤型接着剤を塗布し、しかる後、吸水性基材フィルムと貼り合わせる貼り合わせ方法、直線状に多数平行に押し出した溶融熱可塑性樹脂による押し出しラミネート、熱接着性不織布を介した熱ラミネート、および、スプレー塗布のホットメルトラミネート等、通気性を有する接着剤層を介して貼り合わせると良い。
また、補強用不織布を吸水性基材フィルムとヒートシール性層の間に貼り合わせることもできるが、通気性を有する接着剤層を介して貼り合わせると、補強用不織布を伝って水パッド内の水が袋体の端面から滲み出てくる恐れがある。従って、補強用不織布を吸水性基材フィルムとヒートシール性層の間に貼り合わせる場合は、補強用不織布とヒートシール性層を溶融樹脂の押し出しラミネートによって貼り合わせるか、ヒートシール性層としてヒートシール性フィルムを使用する等、補強用不織布より内側に少なくとも１層のフィルムを設けると良い。
【００７１】
（ヒートシール性層）
また、本発明に係るヒートシール性層としては、ヒートシール性を有する不織布、または、ヒートシール性フィルムを用いることができる。ヒートシール性フィルムを用いるのは、さほど冷却効果が求められない場合、水パッドの身体接触面の反対面に袋体内の水分が放出されるのを防止したい場合等で、一般的なポリオレフィン系フィルムを好適に使用できる。厚みは要求される物理的強度、水蒸気透過度、柔軟性等を勘案して選定するが、通常は１０μｍ〜１００μｍ、好ましくは１０μｍ〜６０μｍの範囲のものを用いる。
ヒートシール性を有する不織布としては、ポリエチレン、ポリプロピレン、または、芯鞘構造からなる共押し出し複合繊維製不織布も使用できる。芯鞘構造で表面がポリエチレンからなる繊維のヒートシール性不織布としては、芯部がポリエチレンテレフタレイトからなる、製品名「エルベス」（ユニチカ株式会社製）等が、上市されている。
繊維表面がポリエチレン、または、ポリプロピレン等、二液硬化型ウレタン樹脂系接着剤との接着性が良くない材質の場合、貼り合わせ強度を上げる必要がある場合は、コロナ放電処理、プラズマ処理、オゾン処理等により表面張力を下げて接着性を向上させたり、プライマー、アンカーコート剤等、間接的に接着性を向上させる樹脂を不織布に塗布したり、接着剤の塗布量を多くして、繊維に接着剤が絡みつくようにしたりすると良い。
本発明において用いるヒートシール性を有する不織布の坪量に特に制限は無く、要求されるヒートシール強度、コスト等を勘案して選定し、通常は１０ｇ／ｍ2〜１２０ｇ／ｍ2、好ましくは２０ｇ／ｍ2〜８０ｇ／ｍ2の範囲で好適に使用できる。
【００７２】
（積層フィルム）
本発明に係る水パッドは、身体に接する面の表面材質を、吸水性を有する繊維からなる不織布とすることによって、吸汗性に優れ、肌触りが良い。
また、積層フィルムを構成する材料が主として不織布と吸水性基材フィルムであるため、薄く、柔軟性に富んでおり、従来市販されている、ウレタン樹脂製シートやゴムを用いたパッドや水枕と比較して、身体になじみやすく、従って身体との接触面積が広く、熱交換機能に優れている。
更に、吸水性繊維からなる不織布と吸水性基材フィルムとの貼り合わせに、溶融ポリオレフィン樹脂の押し出しラミネート、熱ラミネート、ホットメルトラミネート、または、ノンソルベントラミネートを用いることによって、積層フィルム表面から溶剤臭が発せられることが無くなり、快適に、かつ、衛生的に使用できる。
【００７３】
また、ヒートシール性層としてヒートシール性不織布を用いて、吸水性基材フィルムに接着剤を塗布するノンソルベントラミネート、または、ドライラミネートにより貼り合わせれば積層フィルムの透湿性が大きくなり、更に、不織布に接着剤を塗布するノンソルベントラミネート、熱接着性不織布を介した熱ラミネート、スプレー塗布のホットメルトラミネート、直線状に多数平行に押し出した溶融熱可塑性樹脂による押し出しラミネート、などの通気性を有する接着剤層を介して吸水性基材フィルムと貼り合わせれば、積層フィルムの透湿性が非常に大きくなり、袋体内の水が水パッド表面で蒸発しやすくなって気化熱を奪うので、より高い冷却効果が得られる。また、表面の吸水性繊維からなる不織布がほどよく吸水して柔軟性が増すと共に、僅かに湿り気を帯びることにより汗を吸収しやすくなって、より良い肌触りを得ることができる。
【００７４】
更に、吸水性基材フィルムと不織布との貼り合わせが、吸水性基材フィルムの両面とも、無溶剤型接着剤を不織布に塗布して基材フィルムと貼り合わせるノンソルベントラミネート、熱接着性不織布を介した熱ラミネート、直線状に多数平行に押し出した溶融熱可塑性樹脂による押し出しラミネート、または、スプレー塗布のホットメルトラミネートのいずれかであれば、吸水性基材フィルムの両面に、吸水性基材フィルム表面に接着剤層が形成されていない、吸水性基材フィルムが露出した部分が形成されるので、袋体内の水を吸水性基材フィルムが直接吸水し、袋体表面から直接水分を放出して気化熱を奪う機能が得られることにより、積層フィルムの冷却効果はさらに向上すると共に、僅かに湿り気を帯びることにより汗を吸収しやすくなって、より良い肌触りを得ることができる。尚、接着剤のパターン塗布によるドライラミネートを用いてヒートシール性を有する不織布と吸水性基材フィルムを貼りあわせ、ヒートシール性層を形成した場合も同様である。
尚、溶融熱可塑性樹脂の押し出しラミネートにおいて基材フィルム表面に塗布するアンカーコート剤は、表面が平滑な版で塗布する通常の塗布方法を用いれば塗布量が非常に少なく、吸水性基材フィルムの吸水性や放湿性に殆ど影響を与えないので、好適に用いることができる。
【００７５】
さほど冷却効果を必要としない場合や、全身を水パッドで覆うなど冷えすぎを防止したい場合には、接着剤を吸水性基材フィルムの全面に塗布して不織布を貼り合わせるノンソルベントラミネート、または、ドライラミネートを用いても、肌触りや身体へのなじみやすさへの影響は小さい。
【００７６】
また、例えば水枕、布団上に敷く水パッド、座席カバーなど、身体に接触する面の反対面が濡れると困る用途の場合には、本発明に係る水パッド用袋体を表裏異材質として、積層フィルムの水蒸気透過度を低下させるため、溶融ポリオレフィン樹脂の押し出しラミネートを用いた貼り合わせを用いた積層フィルムや、通気性が無く、透湿性も低い、通常の積層フィルムを、袋体の身体に接しない面に用いると良い。
尚、袋体の身体に接しない面の表面材質として吸水性基材フィルムを用いた場合、吸水性基材フィルムは肌触りが比較的良く、かつ、フィルムは不織布より冷感が得られる。従って、汚れによるべたつき、密着感、滑りやすさ等が気にならなければ吸水性基材フィルム面に身体を当てて使用しても差し支えない。
【００７７】
（袋体の密封方法）
本発明に係る水パッド用積層フィルムからなる水パッド用袋体は、水を充填した後、水が漏れないように開口部を密封する。開口部を閉じる方法としては、ヒートシールが最も容易、かつ、安定的だが、一般家庭や病院にはヒートシール装置が無いので、ヒートシールにより密封する場合、製造工場で水を充填してヒートシールにより密封し、水パッドの状態で輸送、および、保管すれば良い。
また、水パッド用袋体のまま流通させて、使用者が水を充填して密封する場合、予め水パッド用袋体の開口部に開閉可能な注出具や、開閉可能、かつ、水密性を有する口部ジッパーを取り付けておけば、密封は容易になる。
また、注出具やジッパーを用いなくても、水枕用口部金具や、プラスチック製口部封緘具（例えば、製品名「エージレスクリップ」、三菱ガス化学株式会社製）等も好適に使用できる。また、応急の場合等は、電線を束ねる結束バンドも利用可能である。
水パッド用袋体のまま流通させることで、水の重さが負担にならず、輸送に用いるエネルギーコストが減少するので好ましい。
【００７８】
（ジッパー）
本発明に係る水パッド用袋体に、ベースとなるテープ上に雌雄一対の線状嵌合部を設けたポリオレフィン系樹脂からなる一般的なプラスチックフィルム製袋体用ジッパーを装着することで、一般家庭でも水パッドの密封を容易に行えるようになる。
通常のジッパーは液体包装用ではなく固形物包装用で、水密性に乏しく、袋体内に水を充填し、ジッパーを閉じて横置きすると数十秒で水が滲み出てきてしまう。これは、袋体が膨らんで袋体内側からジッパーを開く方向に力が加わっても開き難くするために、ジッパー嵌合部の断面が矢印型になっているからである。しかしながら、このような一般的ジッパーであっても、２本並べて装着することにより水密性を付与することができる。
また、ダブルジッパーと称する、一つのベーステープ上に２本の線状嵌合部をもつジッパーは水密性を有するので好適に使用できる。（例えば、製品名「ＬＬ１５−ＥＸ」、シーアイ化成株式会社製）
【００７９】
（注出具）
本発明に係る水パッド用袋体の周縁ヒートシール部に、開閉自在の注出具を装着することで、一般家庭でも水パッドの密封を容易に行えるようになる。
注出具としては、一般的な袋体入り清涼飲料水用のスクリューキャップ付き注出具でも良いが、開口径が小さいため、大量の水を充填する場合にはスクリューキャップを外して、漏斗付きチューブを繋ぐようにする等、工夫をすると良い。
また、水の充填量が５００ｍｌ、１ｌ、２ｌとなるように水パッド用袋体を設計し、ＰＥＴボトルを直接接続できるようにＰＥＴボトルのキャップを注出具として水パッド用袋体に装着し、止め栓で密封するようにすれば、水パッド用袋体に直接ＰＥＴボトルを接続して水の出し入れができるため、水の出し入れが非常に楽になる。但し、２ｌのＰＥＴボトルはキャップの共通化が進められようとしているが、その他のサイズのＰＥＴボトルは飲料水メーカーによってキャップの構造が異なる場合があり、注意が必要で、場合によっては専用のボトルを添付したり、オプションとしたりすると良い。
【００８０】
（体積抑制ヒートシール部）
本発明に係る水パッドに限らず、袋体は内容物を多く充填すればするほど周縁ヒートシール部に大きな折れジワが形成され、袋体に衝撃が加わった時にその折れジワに加わる応力が大きくなり、かつ、集中して、破袋しやすくなる。
本発明に係る水パッドは、内容物が水なので、内容物が漏出しても直接的な健康被害が生じることは無いが、着衣や寝具が濡れてしまうため、破袋に対する注意が必要である。
その対応策の一つが、袋体の収納室の膨らみを抑制するための部分的ヒートシール部を設け、充填できる水の量を減らす、体積抑制ヒートシール部を設けることである。このようにパッド類の膨らみを抑制するため、収納室の内面同士を部分的に接着させる方法は、従来市販されているゲルパッドや水パッドにも用いられている。しかし、従来品に施されているものは、パッドが受ける圧力を分散し、できるだけ多くの面で重みを支えること以外に、パッドを形成するシートが厚く、身体になじみ難いため、ゲルや水の偏在を防止して身体との接触面積を増やそうとする意図もある。それに対して、本発明に係る水パッドは、水パッド用袋体を形成する積層フィルムの厚みが薄く、よく身体になじむ。そのため、少量の水でも十分冷却効果が得られるので、重みを支える効果よりも、より多くのシール部で水パッド用袋体内部のヒートシール縁に加わる応力を緩和することにより破袋し難くする効果を期待するものである。従って、本発明に係る水パッドにおいて、周縁ヒートシール部のヒートシール幅よりも、体積抑制ヒートシール部のヒートシール幅を狭くすることで、水パッド用袋体に衝撃が加わって水パッド用袋体内のヒートシール縁に応力が集中した際に、剥離距離の短い体積抑制ヒートシール部を先に剥離させ、周縁ヒートシール部は多少剥がれても端部を残して水漏れを防止しようとするものである。当然ながら、水パッド用袋体全面に大きな衝撃が加えられてしまえば、体積抑制ヒートシール部だけではなく周縁ヒートシール部も剥離し、水漏れしてしまう。しかし、部分的に衝撃が加わった場合であれば、体積抑制ヒートシール部が最初に剥離することによって、水パッド用袋体の内容積の許容量が増加し、応力が分散することによって破袋を免れることができる可能性がある。
【００８１】
体積抑制ヒートシール部のヒートシール幅は、狭すぎると吸水性基材フィルムを傷めてしまい、広すぎると水パッドの水が収納されている部分と身体の接触面積が減少し、熱交換機能が低下してしまうが、身体の下に敷く場合、水枕の場合、おでこに載せる場合等、用途によって破袋の危険性、荷重の加わり方、身体へのなじみ易さが異なるので、一概に規定することはできず、実際に試作を行い、検証して決める必要がある。
また、体積抑制ヒートシール部の形状は特に限定する必要が無く、円状、楕円状、直線状、波線状や、これらの形状を組み合わせたパターン等でも良い。しかし、数が多すぎると荷重が少ない場合には水パッドの水が収納されている部分と身体の接触面積が減少し、熱交換機能が低下してしまうので、注意が必要である。
また、水パッド全面に水を行き渡らせるため、収納室を複数の室に区分するような体積抑制ヒートシール部は設けない。
【００８２】
（応力検知ヒートシール部）
更に、本発明に係る水パッドの破袋しやすい周縁ヒートシール部の近傍に、より小さな衝撃でも剥離する、小さな点状、または、線状のヒートシール部からなる応力検知ヒートシール部を設ければ、前記応力検知ヒートシール部が剥離したら使用を止めるようにすることで、破袋防止につなげることができる。
応力検知ヒートシール部は、前記体積抑制ヒートシール部を設けることなく、応力検知シールのみ設けても、前記体積抑制ヒートシール部と併設しても構わない。体積抑制ヒートシール部と同時に設ける際は、体積抑制ヒートシール部のヒートシール幅より狭いヒートシール幅にする、周縁ヒートシール部に一番近い体積抑制ヒートシール部と周縁ヒートシール部の間に配置する等、応力検知ヒートシール部が剥離しやすくなる工夫をすると良い。
応力検知ヒートシール部のヒートシール幅は、狭すぎると吸水性基材フィルムを傷めてしまい、広すぎると多少の衝撃では剥離しなくなってしまう。しかし、当該水パッドに加えられる応力の許容値は、用途によって異なり、それに応じて水パッド用袋体周縁ヒートシール部のヒートシール強度も設計するため、一概に規定できるものではない。従って、実際に試作を行い、体積抑制ヒートシール部が剥離する以前に剥離する幅や位置を検証して決める必要がある。
【００８３】
（水パッドの用途と袋体の形態）
本発明に係る水パッドにおいて、例えば水枕や布団上に敷く水パッド、座席カバーなど、寝具や器具に置いて使用する場合は、主として身体に接触する面と同じ面で周囲の雰囲気と熱交換を行うので、身体に接触する面の反対面の透湿性が高すぎると寝具や器具が濡れてしまって困る場合がある。また、例えば、ヘッドパッドや掛けふとん、包帯状に細長く製造したものを身体に巻き付けて使用する用途などの場合は、主として身体に接触する面の反対面で周囲の雰囲気との熱交換を行うので、水パッド両面の透湿性が高いと良い。
また、本発明に係る水パッドは、水の気化熱により冷却効果が得られるので、従来のゲル状冷却パッドのように冷蔵庫や冷凍庫で冷やしてから使用する必要がなく、大きな省エネルギー効果と持続性を期待できる。更に、水パッド用袋体内に充填する水は川や海の水でも構わないので、冷却のためのエネルギーが不要であることに加えて、水パッド用袋体が軽く、嵩張らないことからも、キャンプや非常時等、布団の上以外でも好適に使用できる。
【００８４】
また、本発明に係る水パッドを手術室等、高度に微生物コントロールされた環境で使用する場合、予め滅菌することができる。滅菌は、水を充填した状態であればγ線滅菌や電子線滅菌を、袋体の状態であればエチレンオキサイドガス滅菌、γ線滅菌、電子線滅菌を、滅菌袋に入れて実施する等、公知の方法に従って行うことができる。また、耐熱性を有する材料を用いて積層フィルムを製造すれば、水蒸気滅菌も可能であるが、吸水性素材を主体としているため、過酸化水素滅菌やホルマリン滅菌等、水溶性滅菌剤を用いた滅菌は実施できない。
【００８５】
また、水を収納したとき以上の冷却効果を求める場合、水にエチルアルコールを混合したり、エチルアルコールのみを充填したりすることによって、更なる冷却効果を得ることができる。この場合、エチルアルコールによる殺菌、または、静菌効果が得られて好都合である。但し、狭い部屋で大量のエタノールが揮散すると、当人のみならず周囲の人も酔う場合があることと、臭気に注意する必要がある。
【００８６】
また、本発明に係る水パッドは、身体への馴染みが良いので、本発明に係る水パッド用積層フィルムを透過する物質や医薬品、例えば、香料、消炎鎮痛薬、育毛剤等を添加すれば、除放性と長時間連続使用が可能で、好都合である。
【００８７】
また、本発明に係る水パッド用袋体に空気を吹き込み、エアマットとして使用することもできる。空気を吹き込んで使用する場合は、気体の断熱性を活かして、冷たい床の上で寝る際や、キャンプ等で凸凹の地面に寝る際等に体の下に敷いたりするとよい。
【００８８】
身体に接触する面の反対面が濡れると困る用途の場合には、本発明に係る水パッド用袋体の形態を、必要に応じて変形させる場合も含めて、表裏異材質が可能な、図５に示す三方シール袋や、スタンドパック、四軸供給製袋方式のガゼット袋等として、積層フィルムの水蒸気透過度を低下させるため、溶融ポリオレフィン樹脂の押し出しラミネートを用いた貼り合わせを用いた積層フィルムや、通気性が無く、透湿性も低い、通常の積層フィルムを、水パッド用袋体に用いても良く、使用方法に応じて変形させる等して用いることができる。
【００８９】
水パッドの両面で熱交換する場合、敢えて表裏異材質とする場合を除いて、水パッド用袋体の形態に制限はなく、図６に示すピロー袋や、三方シール袋、二方シール袋（かます袋）、ガゼット袋、スタンドパック等、任意の形態の袋を使用方法に応じて変形させる等して用いることができる。特にピロー袋は破袋し難く、背シール部の反対面を身体に当てれば周縁ヒートシール部を身体に接触させること無く使用できてより良い使用感が得られるので、細長い水パッド用袋体を用いて包帯や鉢巻のように体に巻き付ける用途や、目やおでこに載せる用途で好適に使用できる。
【００９０】
図７は、三方シール袋をトリミングして製造した、水枕形状の変形三方シール袋である。通常の食品包装用袋の場合、周縁ヒートシール部が硬いが、本発明に係る水パッド用積層フィルムで製造した水パッド用袋体は、表面の吸水性繊維からなる不織布の作用で硬さを感じ難い。特に図示しないが、周縁ヒートシール部の硬さによる触感が問題になる場合は、幅の狭い線シールを複数本施した周縁ヒートシール部とする、周縁ヒートシール部の外側に未シール部を設ける等により触感が改善できる。
【００９１】
使用時は開口部から水を入れ、可能な限り空気を抜いて開口部を閉じる。水は、入れ過ぎると破袋しやすくなるので、注意が必要である。水を充填する量を積層フィルムの設計段階から把握しておき、必要な物理的強度が得られるようにヒートシール性層の厚みや坪量、吸水性基材フィルムの材質、貼り合わせ方法等を検討すると良い。
【００９２】
水は腐敗を防止するため、塩化ベンザルコニウム、過酸化水素、次亜塩素酸ナトリウム等の殺菌剤や、エタノール、クエン酸等の静菌剤等を、臭気に注意して添加することができ、また、芳香剤を添加しても良い。
尚、急冷したい場合は氷水を入れても構わない。より良い着用感を得たい場合、かき氷やクラッシュアイスを入れると良い。また、本発明に係る水パッドを冷蔵庫や冷凍庫で冷却してから使用しても構わない。
【００９３】
図８は、三方シール袋をトリミングして製造した、Ｔ字形状の変形三方シール袋である。このような形状とすることにより、例えば、頭頂部、側頭部、後頭部を覆うヘッドパッドとして、必要に応じて固定用面ファスナーを装着して使用すれば、抗がん剤投与者の頭髪脱落緩和補助具として用いることができる。
また、水パッド用袋体の大きさや形状を工夫すれば、関節、筋肉、炎症部位などの徐冷に用いることができ、肌触りが良く、冷やしすぎが無いことから日焼けした部位の冷却等、身体の広い面積の冷却にも適している。
水を充填した後、開口部を閉じる方法は、ヒートシールが身体を傷つけ難く好ましいが、不快感を与えなければジッパーや注出具を使用することで、一般家庭でも水を充填することができる。
【００９４】
図９は、本発明に係る水パッド用積層フィルムを用いて製造した三方シール袋に水を収納し、開口部をヒートシールして密封した、本発明に係る水パッドの概略外観図で、このような形態で枕の上に載せて水枕として使用でき、また、例えば水パッド用袋体の形状を細長くして、包帯や、鉢巻のように身体に巻き付けて使用することや、前頭部に載せて使用することもできる。
【００９５】
図１０は、本発明に係る水パッド用積層フィルムを用いて製造した、体積抑制ヒートシール部を有する三方シール袋に水を収納し、開口部をヒートシールして密封した、本発明に係る水パッドの概略外観図で、体積抑制ヒートシール部が存在するため、水を充填できる量は限られている。このような形態で枕の上に載せて水枕として使用でき、また、水の量を制限することによって、重量が小さく、かつ、水の偏在を小さくできるので、例えば水パッド用袋体の形状を細長くして、包帯や、鉢巻のように身体に巻き付けて使用することや、前頭部に載せて使用することもできる。
【００９６】
図１１は、本発明に係る水パッド用積層フィルムを用いて製造した、体積抑制ヒートシール部を有する口部ジッパー付き三方シール袋、または、前記袋に水を収納し、口部ジッパーを閉じて密封した、本発明に係る水パッドの概略外観図で、このような形態で枕の上に載せて水枕として使用でき、また、例えば水パッド用袋体の形状を細長くして、包帯や、鉢巻のように身体に巻き付けて使用することや、前頭部に載せて使用することもできる。
【００９７】
図１２は、本発明に係る水パッド用積層フィルムを用いて製造した、応力検知ヒートシール部を有する注出具付き三方シール袋、または、前記袋に水を収納し、注出具を閉じて密封した、本発明に係る水パッドの概略外観図で、このような形態で枕の上に載せて水枕として使用できる。また、例えば水パッド用袋体の形状を細長くして、包帯や、鉢巻のように身体に巻き付けて使用することや、前頭部に載せて使用することもできる。
応力検知ヒートシール部は、点状に形成したが、シール強度が強すぎると、剥離する際に吸水性基材フィルムが切れて水漏れする可能性があるため、シール温度を低めに設定する、周縁ヒートシール部の熱版と一体化した熱版でヒートシールすることによってヒートシール圧力が高くなり過ぎないようにする等の工夫をした上で、実際に落下試験や耐圧試験等によって応力検知ヒートシール部の機能を確認すると良い。
【００９８】
図１３は、本発明に係る水パッド用積層フィルムを用いて製造した、仕切りジッパーにより区分され、口部ジッパーを有する計量室を備えた、体積抑制ヒートシール部、および、応力検知ヒートシール部を有する三方シール袋、または、当該袋の収納室に水を収納した、本発明に係る水パッドの概略外観図で、このような形態で枕の上に載せて水枕として使用できる。また、例えば水パッド用袋体の形状を細長くして、包帯や、鉢巻のように身体に巻き付けて使用することや、前頭部に載せて使用することもできる。
【００９９】
また、製袋時に口部ジッパーの外側にジッパーと平行な周縁ヒートシール部を設け、使用時まで口部ジッパーに汚れが付着しないようにしても良い。一般的に、前記周縁ヒートシール部と口部ジッパーの間の周縁ヒートシール部にノッチを設けて、手で容易に開封するようにするが、本発明に係る水パッド用袋体において、当該水パッド用袋体を形成する積層フィルムに用いた不織布が長繊維不織布である等、不織布の種類によっては手で引き裂くことができない場合はノッチを入れても無駄である。手で引き裂くことができない積層フィルムを用いる場合は、口部ジッパー外側のヒートシール部を鋏で切り取るか、最初から口部ジッパー外側にヒートシールを施さない状態で製造する。
【０１００】
また、前記水パッド用袋体は収納する水の量を計量するための計量室を有する。初めに仕切りジッパーを閉じた状態で口部ジッパーを開けて計量室に水を収納し、余分な水を排出しつつ口部ジッパーを閉じた後、仕切りジッパーを開いて水を収納室に入れて仕切りジッパーを閉じる。これらの一連の動作によって、収納室に水を収納した本発明に係る水パッドが形成される。このように形成された水パッド内の水は、水の入れ過ぎによる破袋の発生を防止でき、更に、２本のジッパーによって密封されているため、より漏れ難い構造になる。
【０１０１】
図１４は、本発明に係る水パッド用積層フィルムを用いて製造した、仕切りジッパーにより区分され、注出具を有する計量室を備えた、体積抑制ヒートシール部を有する注出具付き袋、または、当該袋の収納室に水を収納した、本発明に係る水パッドの概略外観図で、このような形態で枕の上に載せて水枕として使用できる。また、例えば水パッド用袋体の形状を細長くして、包帯や、鉢巻のように身体に巻き付けて使用することや、前頭部に載せて使用することもできる。
【０１０２】
また、前記水パッド用袋体は収納する水の量を計量するための計量室を有する。初めに仕切りジッパーを閉じた状態で注出具を開けて計量室に水を収納し、注出具を閉じた後、仕切りジッパーを開いて水を収納室に入れて仕切りジッパーを閉じる。これらの一連の動作によって、収納室に水を収納した本発明に係る水パッドが形成される。このように形成された水パッド内の水は、水の入れ過ぎによる破袋の発生を防止でき、更に、ジッパーと注出具によって密封されているため、より漏れ難い構造になる。
【０１０３】
図１５は、本発明に係る水パッド用積層フィルムを用い、十字架形状に製造した、体積抑制ヒートシール部を有する変形三方シール袋の概略外観図である。当該水パッド用袋体に水を充填してヒートシール、または、市販のクリップ等で密封し、縦棒部と横棒部の側部シール部同士をゴム紐等で接続したり、面ファスナーで接続できるようにしたりしてヘルメット形状にすれば、頭部に被せて発毛部全体を冷却できるので、抗がん剤の投与による脱毛の緩和を補助することができる。また、水と一緒にエチルアルコールを充填すれば、更に高い冷却効果を得ることができ、もし、積層フィルムを透過し、吸着されにくい医薬品、例えば育毛剤等があれば、香料等と共に、水に添加することもできる。また、当該水パッド用袋体の頭頂部と前頭部に当たる部分には体積抑制ヒートシール部を設けておらず、当該水パッド用袋体を用いて製造した水パッドを頭部に被せたまま就寝する場合に、後頭部や側頭部が当たった部分から排出された水が、前記頭頂部と前頭部が当たる部分に移動して水パッド用袋体が膨らんで破袋しにくくしてある。このように、体積抑制ヒートシール部は必ずしも水パッド用袋体全体に配置する必要はなく、使用時の水パッド用袋体内における水の挙動を考慮して、体積抑制ヒートシール部を設ける位置を設計すると良い。
【０１０４】
図１６は、本発明に係る水パッド用積層フィルムを用いて製造した、ＰＥＴボトルのキャップ型注出具と、体積抑制ヒートシール部とを有する注出具付き袋、または、当該袋の収納室に水を収納した、本発明に係る水パッドの概略外観図で、このような形態で布団の上に載せて使用でき、ＰＥＴボトルのキャップに市販のＰＥＴボトルを接続できれば、充填する水の量を計量せずに済むので、水を入れすぎて破袋したり、水が少なすぎて冷却効果が低下したりすることを容易に防止できる。
尚、水を収納したＰＥＴボトルを袋体に接続して水を注入する場合、予め最低でも注入する水の体積以上の体積の空気を袋内に入れておく必要があるが、注出具から息を吹き込めばよい。
【０１０５】
また、布団上に敷く水パッドの場合、その面積も大きく、水を入れると非常に重くなり、持ち運びや片付けが非常に大変な作業となる。しかし、予め布団の上に水パッド用袋体を敷いておき、ＰＥＴボトルで水を運んで水をこぼすことなく充填できると共に、逆に容易に水を抜くこともできるので、面積が広く、重い水パッドの取り扱いが非常に手軽に行える。このような効果は、特に従来は重すぎて取り扱いが困難だった、布団大以上の、水を入れると１０ｋｇを超えてしまうような水パッドでも、ＰＥＴボトルで数回水を給排水するだけの作業で済む。従って、病院や介護施設等、大人数で使用する施設での使用に適するとともに、非力な人でも容易に使用できる。
尚、体積抑制ヒートシール部を増やすことによって、敷き布団大の水パッドでも充填する水の量を１０ｋｇ以下にすることも容易にできる。水の量が少ないことによって、身体が乗った部分の水パッド内の水が移動してしまっても、身体の周囲から身体を冷却するだけでも清涼感は充分得られ、更に、ほんの少し身体を動かしたり、寝返りを打ったりすれば、水パッド内の冷えた水が動いて清涼感が一気に上昇し、心地よい。
【０１０６】
＜実施例１＞
次に、実施例を示して本発明をさらに具体的に説明する。
（積層フィルムの製造）
本発明に係る吸水性繊維からなる不織布として幅９６０ｍｍ、坪量３０ｇ／ｍ2のナイロン長繊維不織布（製品名「ナイエースＰ０３０３ＷＴＯ」、ユニチカ株式会社製）、および、吸水性基材フィルムとして、幅９６０ｍｍ、坪量３０ｇ／ｍ2のプレーンセロハンフィルム（製品名「ＰＬ１」、フタムラ化学株式会社製）を選定した。ノンソルベントラミネーターを用いて、吸水性繊維からなる不織布に二液硬化型ウレタン樹脂系無溶剤型接着剤１．２ｇ／ｍ2を塗布して貼り合わせ、３５℃で２日間エージングした。その後、該フィルムの吸水性基材フィルム面に、ドライラミネーターを用いて、二液硬化型ウレタン樹脂系溶剤型接着剤２．５ｇ／ｍ2を塗布して幅９６０ｍｍ、厚さ３０μｍの直鎖状低密度ポリエチレンフィルム（製品名「Ｌ４１０２」、東洋紡績株式会社製）を貼り合わせることにより、層構成、不織布３０ｇ／ｍ2／接着剤層（不織布に塗布した無溶剤型接着剤）／吸水性基材フィルム３０ｇ／ｍ2／接着剤層（全面塗布した溶剤型接着剤）／ヒートシール性層（フィルム）３０μｍの、本発明に係る水パッド用積層フィルムを得た。
【０１０７】
（袋体の製造）
三方シール袋製袋機に前記本発明に係る水パッド用積層フィルムをセットして横取り製袋を実施した。これによって、長さ４６０ｍｍ、幅２２０ｍｍ、ヒートシール幅１０ｍｍの三方シール袋を製造し、本発明に係る透湿性が低い水パッド用袋体を得た。
尚、本実施例にて用いた製袋機は二軸製袋兼用機であり、以下の実施例においても用いており、試作を効率的に実施するため、異なる実施例においても同じ寸法の袋体を製造しているが、本発明における袋体において、特に本実施例の袋体寸法に限定されるものではない。また、水パッドを製造する際の水の充填量も、本実施例にて製造した袋体の寸法に対して必ずしも対をなすものではなく、特に限定する必要は無い。水の充填量は、袋体に要求される寸法に対し、使用感や、破袋の危険性等を勘案して求めるものであり、逆に、市販の清涼飲料水用ＰＥＴボトルに合わせた充填量を設定してから、使用感や、破袋の危険性等を勘案して袋体の寸法を設計しても構わない。
【０１０８】
（水パッドの製造）
前記水パッド用袋体に水道水８００ｍｌを充填し、極力内部の空気を抜きながら、インパルスシーラーを用いて開口端部に幅５ｍｍのヒートシール部を設け、本発明に係る水パッドを得た。
前記水パッドを枕の上に置き、就寝した結果、ほぼ無臭で、肌触りが良く、汗を良く吸収すると共に、心地よい冷感が得られた。
また、家庭で水を充填する場合を想定し、開口部にインパルスシーラーでヒートシールを施さず、全長２４０ｍｍのプラスチック製口部封緘具（製品名「エージレスクリップ」、三菱ガス化学株式会社製）で密封しても、水が漏れることは無く、また、開口部にヒートシールを施したものと同様の効果が得られた。
【０１０９】
＜比較例１＞
（比較用積層フィルムの製造）
比較用積層フィルムとして、実施例１の本発明に係る水パッド用積層フィルム表面の、吸水性繊維からなる不織布の代わりに、吸水性が殆ど無い、幅９６０ｍｍ、坪量３０ｇ／ｍ2の芯鞘構造長繊維ポリエチレン不織布（製品名「エルベスＳ０３０３ＷＤＯ」、ユニチカ株式会社製）を使用した点と、ノンソルベントラミネーター内でコロナ放電処理を施しながら前記不織布を貼り合わせた点が実施例１と異なる積層フィルムを製造し、層構成、非吸水性不織布３０ｇ／ｍ2／接着剤層（不織布に塗布した無溶剤型接着剤）／吸水性基材フィルム４０μｍ／接着剤層（全面塗布した溶剤型接着剤）／ヒートシール性層（フィルム）３０μｍの、比較用積層フィルムを得た。
【０１１０】
（袋体の製造）
実施例１と同じ三方シール袋製袋機に前記比較用積層フィルムをセットして横取り製袋を実施し、長さ４６０ｍｍ、幅２２０ｍｍ、ヒートシール幅１０ｍｍの三方シール袋を製造し、表面の不織布材質のみ実施例１と異なる、比較用の透湿性が低い水パッド用袋体を得た。
（水パッドの製造）
実施例１と同様に、前記比較用水パッド用袋体に水道水８００ｍｌを充填し、極力内部の空気を抜きながら、インパルスシーラーを用いて開口端部に幅５ｍｍのヒートシール部を設け、本発明に係る水パッドを得た。
前記水パッドを枕の上に置き、就寝した結果、ほぼ無臭で、ある程度の冷感は得られたが、ガサガサした感覚があって肌触りが悪く、汗も殆ど吸収せず蒸れる感じがした。
【０１１１】
＜実施例２＞
（積層フィルムの製造）
本発明に係る吸水性繊維からなる不織布として幅５００ｍｍ、坪量３０ｇ／ｍ2のナイロン長繊維不織布（製品名「ナイエースＰ０３０３ＷＴＯ」、ユニチカ株式会社製）、および、吸水性基材フィルムとして、幅５００ｍｍ、厚さ１５μｍの二軸延伸ナイロンフィルム（製品名「ＯＮＭＢＲＴ」、ユニチカ株式会社製）を選定した。ノンソルベントラミネーターを用いて、吸水性繊維からなる不織布に二液硬化型ウレタン樹脂系無溶剤型接着剤１．２ｇ／ｍ2を塗布して貼り合わせ、３５℃で２日間エージングした。その後、該フィルムの吸水性基材フィルム面に、ノンソルベントラミネーターを用いて、幅５００ｍｍ、坪量４０ｇ／ｍ2の芯鞘構造長繊維ポリエチレン不織布（製品名「エルベスＳ０４０３ＷＤＯ」、ユニチカ株式会社製）に、ラミネーター内でコロナ放電処理を施しながら二液硬化型ウレタン樹脂系無溶剤型接着剤１．５ｇ／ｍ2を塗布して貼り合わせた。さらに、３５℃で２日間エージングすることにより、層構成、不織布３０ｇ／ｍ2／接着剤層（不織布に塗布した無溶剤型接着剤）／吸水性基材フィルム１５μｍ／接着剤層（不織布に塗布した無溶剤型接着剤）／ヒートシール性層（不織布）４０ｇ／ｍ2の、本発明に係る水パッド用積層フィルムを得た。
また、基材フィルムとして幅５００ｍｍ、厚さ１５μｍの二軸延伸ナイロンフィルム（製品名「Ｎ１１０２」、東洋紡績株式会社製）に、ノンソルベントラミネーターを用いて、二液硬化型ウレタン樹脂系無溶剤型接着剤２．０ｇ／ｍ2を塗布し、幅５００ｍｍ、厚さ４０μｍの直鎖状低密度ポリエチレンフィルム（製品名「Ｌ４１０２」、東洋紡績株式会社製）を貼り合わせることにより、層構成、基材フィルム１５μｍ／接着剤層／ヒートシール性層３０μｍの、背面用積層フィルムを得た。
【０１１２】
（袋体の製造）
二軸製袋機に前記本発明に係る水パッド用積層フィルムと背面用積層フィルム、および、１本のダブルジッパー（製品名「ＬＬ−１５ＥＸ」、シーアイ化成株式会社製）をセットして横取り製袋を実施した。これによって、長さ４６０ｍｍ、幅２２０ｍｍ、ヒートシール幅１０ｍｍ、ジッパー嵌合部中心から開口端までの寸法２０ｍｍのジッパー付き三方シール袋を製造し、片面が高い透湿性を有し、残りの片面は透湿性が低い、本発明に係る水パッド用袋体を得た。
【０１１３】
（水パッドの製造）
前記水パッド用袋体のジッパーを開いて水道水８００ｍｌを充填し、極力内部の空気を抜きながら、ジッパーを閉じ、本発明に係る水パッドを得た。
前記水パッドの背面用積層フィルム側を下にして枕の上に置き、就寝した結果、ほぼ無臭であると共に、頭部に接触するナイロン不織布面が適度な湿り気を帯びることで柔軟性が増して肌触りが良く、汗を良く吸収し、かつ、表面で水分が蒸発することによってより心地よい冷感が得られた。
また、背面用積層フィルム側を前頭部に当てると、不織布面を当てたときより冷たく感じられ、冷却効果が得られた。ナイロンフィルムが肌に密着する感覚が嫌われなければ、ナイロンフィルム面を身体に当てて、反対面の吸水性繊維からなる不織布面で外気と熱交換する使用方法もあることが判明した。
【０１１４】
＜比較例２＞
（比較用積層フィルムの製造）
比較用積層フィルムとして、実施例２と同じ不織布とフィルムを用い、本発明に係る水パッド用積層フィルムの、吸水性繊維からなる不織布と、吸水性基材フィルムとの貼り合わせを、ドライラミネーターで吸水性基材フィルム全面に二液硬化型ウレタン樹脂系溶剤型接着剤を塗布し、当該接着剤塗布面に吸水性繊維からなる不織布を貼り合わせた点のみ実施例２と異なる、比較用積層フィルムを製造し、背面用積層フィルムは実施例２で製造したものを用いた。
【０１１５】
（袋体の製造）
実施例２と同じ二軸袋製袋機に、前記比較用積層フィルムと背面用積層フィルム、および、ジッパーをセットして実施例２と同様に横取り製袋を実施した。これによって、長さ４６０ｍｍ、幅２２０ｍｍ、ヒートシール幅１０ｍｍのジッパー付き三方シール袋を製造し、表面の不織布の内側の接着剤層のみ実施例２と異なる、片面が高い透湿性を有し、残りの片面は透湿性が低い、比較用水パッド用袋体を得た。
【０１１６】
（水パッドの製造）
実施例２と同様に、前記比較用水パッド用袋体に水道水８００ｍｌを充填し、極力内部の空気を抜きながら、ジッパーを閉じ、比較用の水パッドを得た。
前記水パッドを枕の上に置き、就寝した結果、実施例２で製造した水パッドと比較してやや肌触りが良くないのみならず、接着剤の残留溶剤の臭いが常にあって止むことが無く、不快であった。
【０１１７】
＜実施例３＞
（積層フィルムの製造）
本発明に係る吸水性繊維からなる不織布として幅５００ｍｍ、坪量３０ｇ／ｍ2のレーヨン、パルプ混抄短繊維不織布（製品名「ニューソフロンＬ」、ユニ・チャーム国光ノンウーヴン株式会社製）、および、吸水性基材フィルムとして、幅５００ｍｍ、厚さ２０μｍの未延伸ナイロンフィルム（製品名「レイファンＮＯ１４０１」、東レフィルム加工株式会社製）を選定した。ノンソルベントラミネーターを用いて、前記未延伸ナイロンフィルム全面に二液硬化型ウレタン樹脂系無溶剤型接着剤２．０ｇ／ｍ2を塗布して貼り合わせ、３５℃で２日間エージングした。該フィルムの吸水性基材フィルム面に、押し出しラミネーターを用いてポリエチレンイミン系アンカーコート剤を塗布し、乾燥させた後、Ｔダイの多数のノズルから、溶融ポリエチレン樹脂を直線状に厚さ５０μｍ、幅約２ｍｍで、平行に２ｍｍ間隔で多数線状に押し出しつつ、幅５００ｍｍ、坪量４０ｇ／ｍ2の芯鞘構造長繊維ポリエチレン不織布（製品名「エルベスＳ０４０３ＷＤＯ」、ユニチカ株式会社製）を貼り合わせた。これによって、層構成、不織布３０ｇ／ｍ2／接着剤層（吸水性基材フィルム全面に塗布した無溶剤型接着剤）／吸水性基材フィルム１５μｍ／接着剤層（線状押し出しポリエチレン５０μｍ）／ヒートシール性層（不織布）４０ｇ／ｍ2の、本発明に係る水パッド用積層フィルムを得た。
前記本発明に係る水パッド用積層フィルムを幅１６０ｍｍに裁断して巻取り、実施例３に係る本発明の水パッド用積層フィルムを得た。
【０１１８】
（袋体の製造）
前記水パッド用積層フィルムをピロー袋製袋機に掛け、幅７０ｍｍ、長さ１８０ｍｍ、ヒートシール幅１０ｍｍのピロー袋を製造し、本発明に係る全面の透湿性が高い水パッド用袋体を得た。
（水パッドの製造）
前記水パッド用袋体に水道水２００ｍｌを充填し、極力内部の空気を抜きながら、インパルスシーラーを用いて開口端部に幅５ｍｍのヒートシール部を設け、本発明に係る水パッドを得た。
前記水パッドの背シールの反対面をおでこの上に置き、就寝した結果、臭気を感じず、肌触りが良く、汗を良く吸収すると共に、いつまでも冷感があり、冷えすぎることなく心地よい睡眠が得られた。
【０１１９】
＜実施例４＞
（積層フィルムの製造）
本発明に係る吸水性繊維からなる不織布として幅５００ｍｍ、坪量３０ｇ／ｍ2のレーヨン、パルプ混抄短繊維不織布（製品名「ニューソフロンＬ」、ユニ・チャーム国光ノンウーヴン株式会社製）、および、吸水性基材フィルムとして、幅５００ｍｍ、厚さ２０μｍの未延伸ナイロンフィルム（製品名「レイファンＮＯ１４０１」、東レフィルム加工株式会社製）を選定した。ノンソルベントラミネーターを用いて、前記不織布の粗面に二液硬化型ウレタン樹脂系無溶剤型接着剤１．０ｇ／ｍ2を塗布して貼り合わせ、３５℃で２日間エージングした。その後、該フィルムの吸水性基材フィルム面に、ノンソルベントラミネーターを用いて、幅５００ｍｍ、坪量４０ｇ／ｍ2の芯鞘構造長繊維ポリエチレン不織布（製品名「エルベスＳ０４０３ＷＤＯ」、ユニチカ株式会社製）に、ラミネーター内でコロナ放電処理を施しながら二液硬化型ウレタン樹脂系無溶剤型接着剤１．５ｇ／ｍ2を塗布して貼り合わせ、３５℃で２日間エージングした。これによって、層構成、不織布３０ｇ／ｍ2／接着剤層（不織布に塗布した無溶剤型接着剤）／吸水性基材フィルム１５μｍ／接着剤層（不織布に塗布した無溶剤型接着剤）／ヒートシール性層（不織布）４０ｇ／ｍ2の、本発明に係る水パッド用積層フィルムを得た。
前記本発明に係る水パッド用積層フィルムを幅１６０ｍｍに裁断して巻取り、実施例４に係る本発明の水パッド用積層フィルムを得た。
【０１２０】
（袋体の製造）
前記水パッド用積層フィルムをピロー袋製袋機に掛け、幅７０ｍｍ、長さ１８０ｍｍ、ヒートシール幅１０ｍｍのピロー袋を製造し、本発明に係る全面の透湿性が高い水パッド用袋体を得た。
（水パッドの製造）
前記水パッド用袋体に水道水２００ｍｌを充填し、極力内部の空気を抜きながら、インパルスシーラーを用いて開口端部に幅５ｍｍのヒートシール部を設け、本発明に係る水パッドを得た。
前記水パッドの背シールの反対面をおでこの上に置き、就寝した結果、臭気を感じず、肌触りが良く、汗を良く吸収すると共に、いつまでも冷感があり、冷えすぎることなく心地よい睡眠が得られた。
【０１２１】
＜実施例５＞
（積層フィルムの製造）
実施例４で製造した、本発明に係る水パッド用積層フィルムを用いた。
（袋体の製造）
前記水パッド用積層フィルムをピロー袋製袋機に掛け、幅７０ｍｍ、長さ９００ｍｍ、ヒートシール幅１０ｍｍのピロー袋を製造し、本発明に係る全面の透湿性が高い水パッド用袋体を得た。
（水パッドの製造）
前記水パッド用袋体に水道水４００ｍｌを充填し、極力内部の空気を抜きながら、インパルスシーラーを用いて開口端部に幅５ｍｍのヒートシール部を設け、本発明に係る水パッドを得た。
前記水パッドの両端を持って頭を下げ顔が地面を向いた状態で、背シール面の反対面のほぼ中央をおでこに当てて、鉢巻のようにおでこに巻いて両端を結んだ結果、臭気を感じず、肌触りが良く、汗を良く吸収すると共に、いつまでも冷感があり、冷えすぎることなく良好な付け心地が得られた。
同様にして、首、腕、肩、足首等に巻きつけたり、結びつけたりすることができ、心地よい冷感が得られた。このような使い方で、炎症を引き起こした部位の冷却は元より、肌触りが良いことから、日焼けした部位の冷却にも効果を発揮する。
尚、面ファスナーを水パッド用袋体表面に貼り付けたり、ヒートシール部に縫い付けたりすることによって、身体への固定はより簡便になる。また、水パッド用袋体表面に面ファスナー等を取り付けずに、帯状の面ファスナーや紐等を固定部位に巻いて、固定しても構わない。
【０１２２】
＜実施例６＞
（積層フィルムおよび袋体の製造）
二軸製袋機に実施例２と同じ本発明に係る水パッド用積層フィルムと背面用積層フィルム、および、１本のジッパーをセットし、実施例２と同様の横取り製袋を実施すると共に、横シールバーを用いて体積抑制ヒートシールを施した。これによって、縦４６０ｍｍ、横２２０ｍｍ、ヒートシール幅１０ｍｍ、ジッパー嵌合部中心から開口端までの寸法２０ｍｍのジッパー付き三方シール袋で、水パッド用袋体の収納部内に、体積抑制ヒートシール部として、長さ３５０ｍｍ、幅５ｍｍのヒートシール部を４１ｍｍ間隔で４箇所設けた、長さ４６０ｍｍ、幅２２０ｍｍ、ヒートシール幅１０ｍｍの、片面が高い透湿性を有し、残りの片面は透湿性が低い、体積抑制ヒートシール部を有する本発明に係る水パッド用袋体を得た。
【０１２３】
（水パッドの製造）
前記水パッド用袋体のジッパーを開いて水道水５００ｍｌを充填し、極力内部の空気を抜きながら、ジッパーを閉じ、本発明に係る水パッドを得た。水の充填量が５００ｍｌのＰＥＴボトル１本分のため、同ＰＥＴボトルを用いることで水の計量を簡略化できることが分かった。
前記水パッドの背面用積層フィルム側を下にして枕の上に置き、就寝した。結果、臭気が感じられなかったと共に、頭部に接触するナイロン不織布面が適度な湿り気を帯びることで柔軟性が増して肌触りが良く、汗を良く吸収し、かつ、表面で水分が蒸発することによってより心地よい冷感が得られた。また、ジッパーから水が漏れることはなかった。
また、前記水パッドを床の上に置き、その上に高さ１ｍから米が５ｋｇ入った袋を落下させる試験を、水パッド１０個で実施した。その結果、１０個中５個で体積抑制ヒートシール部（応力検知ヒートシール部）の端部が剥離したが、そのいずれも周縁ヒートシール部は剥離せず、かつ、口部ジッパーも開くことが無く、水漏れしなかった。このことから、体積抑制ヒートシール部を観察することで、水パッドに衝撃等の突発的な応力が加えられたことを判断できる効果を確認できた。
【０１２４】
＜実施例７＞
（積層フィルムおよび袋体の製造）
二軸製袋機に実施例２と同じ本発明に係る水パッド用積層フィルムと背面用積層フィルム、および、２本のジッパーをセットし、実施例２と同様の横取り製袋を実施すると共に、横シールバーを用いて、収納室の縦方向の中心位置で、ボトムシール部内縁端、および、仕切りジッパーベーステープ内縁端から８０ｍｍ内側の２箇所と、その真ん中の合計３箇所に、直径３ｍｍの円形ヒートシール部からなる応力検知ヒートシール部を設けた。また、仕切りジッパーと、口部ジッパーの、２本のジッパー嵌合部中心間距離１１０ｍｍ、口部ジッパー嵌合部中心から開口端までの寸法２０ｍｍとして、計量室付き三方シール袋で、片面の透湿性が高く、残りの片面は透湿性が低い、収納部内に応力検知ヒートシール部を有する、長さ４６０ｍｍ、幅２２０ｍｍ、ヒートシール幅１０ｍｍの本発明に係る水パッド用袋体を得た。
【０１２５】
（水パッドの製造）
前記水パッド用袋体の仕切りジッパーを閉じた状態で口部ジッパーを開き、計量室内に水道水を多めに充填し、当該水を溢れさせながら可能な限り多くの水を計量室に収納しつつ口部ジッパーを閉じた。後に収納した水の量を計測したところほぼ５００ｍｌであった。しかる後、計量室を構成する水パッド用積層フィルム両側の仕切りジッパー近傍を手で引っ張って仕切りジッパーを開き、ほぼ全ての水を収納室内に導入してから仕切りジッパーを閉じることによって、計量器具を用いることなく適量の水を収納した、本発明に係る水パッドを得た。
前記水パッドの背面用積層フィルム側を下にして枕の上に置き、就寝した結果、臭気が感じられなかった。また、頭部に接触するナイロン不織布面が適度な湿り気を帯びることで柔軟性が増して肌触りが良く、汗を良く吸収し、かつ、表面で水分が蒸発することによってより心地よい冷感が得られた。また、ジッパーから水が漏れることはなかった。
また、前記水パッドを床の上に置き、その上に高さ１ｍから米が５ｋｇ入った袋を落下させる試験を、水パッド１０個で実施した。その結果、１０個中３個で応力検知ヒートシール部が１箇所剥離したが、当該応力検知ヒートシール部が剥離したことは明確に判断でき、そのいずれも周縁ヒートシール部は剥離せず、かつ、仕切りジッパーも開くことが無く、水漏れしなかったことから、応力検知ヒートシール部の効果を確認できた。
【０１２６】
＜実施例８＞
（積層フィルムの製造）
本発明に係る吸水性繊維からなる不織布として幅１０００ｍｍ、坪量３０ｇ／ｍ2の綿繊維不織布（製品名「コットエースＣ０３０Ｓ／Ａ０１」、ユニチカ株式会社製）、および、吸水性基材フィルムとして、幅１０００ｍｍ、厚さ１５μｍの二軸延伸ナイロンフィルム（製品名「ＮＡＰ２２」、東洋紡績株式会社製）を選定した。ノンソルベントラミネーターを用いて、吸水性繊維からなる不織布に二液硬化型ウレタン樹脂系無溶剤型接着剤１．２ｇ／ｍ2を塗布して貼り合わせ、３５℃で２日間エージングした。その後、該フィルムの吸水性基材フィルム面に、スプレー塗布ホットメルトラミネーターを用いてエラストマー系ホットメルト接着剤を３ｇ／ｍ2塗布し、幅１０００ｍｍ、坪量４０ｇ／ｍ2の芯鞘構造長繊維ポリエチレン不織布（製品名「エルベスＳ０４０３ＷＤＯ」、ユニチカ株式会社製）を貼り合わせた。こうして、層構成、不織布４０ｇ／ｍ2／接着剤層（不織布に塗布した無溶剤型接着剤）／基材フィルム１５μｍ／接着剤層（スプレー塗布ホットメルト樹脂）／ヒートシール性層（不織布）４０ｇ／ｍ2の、本発明に係る水パッド用積層フィルムを得た。
【０１２７】
（袋体の製造）
三方シール袋製袋機に前記本発明に係る水パッド用積層フィルム、および、実施例２と同じジッパーを１本セットし、実施例２と同様の横取り製袋を実施すると共に、横シールバーを用いて収納室に体積抑制ヒートシールを施した。こうして、縦４６０ｍｍ、横２２０ｍｍ、ヒートシール幅１０ｍｍ、ジッパー嵌合部中心から開口端までの寸法１００ｍｍのジッパー付き三方シール袋で、水パッド用袋体の収納部内に、長さ２７０ｍｍ、幅５ｍｍのヒートシール部を４１ｍｍ間隔で４箇所設けた、長さ４６０ｍｍ、幅２２０ｍｍ、ヒートシール幅１０ｍｍのジッパー付き三方シール袋を製造した。その後、注出具シール機を用いて水パッド用袋体の開口部に、内径８ｍｍ、外径１０ｍｍの開口部を有するスクリューキャップ付き注出具を幅１０ｍｍのヒートシールにより装着すると共に水パッド用袋体の開口部にもヒートシールを施し、体積抑制ヒートシール部と計量室を有する、本発明に係る全面の透湿性が高い水パッド用袋体を得た。
【０１２８】
（水パッドの製造）
前記水パッド用袋体の仕切りジッパーを閉じた状態で注出具のキャップを外して開口部を上にし、注出具を摘んで持った指のみで水パッド用袋体を保持した状態で、水道の蛇口から注出具開口部上端ぎりぎりまで水を充填した後、注出具のキャップを閉じた。後に収納した水の量を計測したところほぼ４００ｍｌであった。しかる後、計量室を構成する水パッド用積層フィルム両側の仕切りジッパー近傍を手で引っ張って仕切りジッパーを開き、ほぼ全ての水を収納室内に導入してから仕切りジッパーを閉じることによって、計量器具を用いることなく適量の水を収納した、本発明に係る水パッドを得た。
前記水パッドを首から肩甲骨にかけて背中に載せ、うつ伏せで寝た結果、臭気が感じられなかった。また、身体に良くフィットし、身体に接触する綿不織布面が適度な湿り気を帯びることで柔軟性が増して肌触りが良く、汗を良く吸収し、かつ、表面で水分が蒸発することによってより心地よい冷感が得られ、日焼けした時に利用できることがわかった。また、ジッパーや注出具から水が漏れることはなかった。
【０１２９】
＜実施例９＞
（積層フィルムおよび袋体の製造）
実施例８と同じ材料を用い、熱ラミネーターを用いて、幅９８０ｍｍ、坪量３０ｇ／ｍ2のポリエステル系熱接着性不織布（製品名「マリックスメルトＺ０３０３ＷＴＯ」、ユニチカ株式会社製）を介して、吸水性繊維からなる不織布と、吸水性基材フィルムとを貼り合わせた点以外は実施例８と同じ方法で、水パッド用積層フィルム、および、本発明に係る水パッド用袋体を製造した。
（水パッドの製造）
前記水パッド用袋体を用いて実施例８と同様に水を充填し、計量器具を用いることなく適量の水を収納した、本発明に係る水パッドを得た。
前記水パッドを用いて実施例８と同様の身体冷却実験を実施し、実施例８と同様の結果が得られた。
【０１３０】
＜実施例１０＞
（積層フィルムおよび袋体の製造）
実施例８と同じ材料を用い、スプレー塗布ホットメルトラミネーターを用いて前記吸水性基材フィルムにエラストマー系ホットメルト接着剤を３ｇ／ｍ2塗布して吸水性繊維からなる不織布を貼り合わせた点以外は実施例８と同じ方法で、水パッド用積層フィルム、および、本発明に係る水パッド用袋体を製造した。
（水パッドの製造）
前記水パッド用袋体を用いて実施例８と同様に水を充填し、計量器具を用いることなく適量の水を収納した、本発明に係る水パッドを得た。
前記水パッドを用いて実施例８と同様の身体冷却実験を実施し、同様の結果が得られたが、水パッド用積層フィルムの柔軟性が実施例８よりも若干向上しているように感じられ、より快適であった。
【０１３１】
＜実施例１１＞
（積層フィルムの製造）
本発明に係る吸水性繊維からなる不織布として幅８８０ｍｍ、坪量３０ｇ／ｍ2の綿繊維不織布（製品名「コットエースＣ０３０Ｓ／Ａ０１」、ユニチカ株式会社製）、および、吸水性基材フィルムとして、幅８８０ｍｍ、厚さ１５μｍの二軸延伸ナイロンフィルム（製品名「ＯＮＭＢＲＴ」、ユニチカ株式会社製）を選定した。押し出しラミネーターを用いて、前記ナイロンフィルムにポリエチレンイミン系アンカーコート剤を塗布し、乾燥させた後、Ｔダイの多数のノズルから、溶融ポリエチレン樹脂を直線状に厚さ５０μｍ、幅約２ｍｍで、平行に２ｍｍ間隔で多数線状に押し出しつつ、前記吸水性繊維からなる不織布を貼り合わせた。その後、当該積層フィルムの吸水性基材フィルム面に、スプレー塗布ホットメルトラミネーターを用いてエラストマー系ホットメルト接着剤を３ｇ／ｍ2塗布し、幅８８０ｍｍ、坪量３０ｇ／ｍ2の芯鞘構造長繊維ポリエチレン不織布（製品名「エルベスＳ０３０３ＷＤＯ」、ユニチカ株式会社製）を貼り合わせた。こうして、層構成、不織布３０ｇ／ｍ2／接着剤層（線状押し出しポリエチレン５０μｍ）／基材フィルム１５μｍ／接着剤層（スプレー塗布ホットメルト樹脂）／ヒートシール性層（不織布）３０ｇ／ｍ2の、本発明に係る水パッド用積層フィルムを得た。
【０１３２】
（袋体の製造）
三方シール袋製袋機に前記本発明に係る水パッド用積層フィルムをセットし、幅４００ｍｍ、長さ４１０ｍｍ、ヒートシール幅１０ｍｍの三方シール袋の内側が、横棒幅内寸１６０ｍｍ、縦棒幅内寸１２０ｍｍ、縦棒の横棒下内寸１８０ｍｍの十字架型にヒートシールされていて、横棒と縦棒の交差する箇所と縦棒上部を除き、４０ｍｍ間隔で幅５ｍｍの線状体積抑制ヒートシール部を、横棒部は横棒に平行に、縦棒部は縦棒に平行に設けた水パッド用袋体を製造した。その後、当該水パッド用袋体四隅の不要部分を除去することにより、周縁ヒートシール幅１０ｍｍの十字架型で、縦棒上部の開口部と、体積抑制ヒートシール部を有する、変形三方シール袋からなる、本発明に係る全面の透湿性が高い水パッド用袋体を得た。
（水パッドの製造）
前記水パッド用袋体の横棒と縦棒のヒートシール部同士を、ヒートシール部に縫い付けたゴム紐で繋いでヘルメット状にした後、開口部から水６００ｍｌを充填し、可能な限り水パッド用袋体内部の空気を抜きながら、インパルスシーラーを用いて開口部を幅５ｍｍのヒートシールにより密封し、本発明に係る水パッドを得た。
前記水パッドを頭に被ったところ、頭の形に良く馴染み、冷えすぎず、快適な冷感が得られた。また、頭に装着したまま就寝しても、体積抑制ヒートシール部を設けていない頭頂部が膨らんで、より破袋し難くい構造となっており安心できた。
【０１３３】
＜実施例１２＞
（積層フィルムの製造）
本発明に係る吸水性繊維からなる不織布として幅９００ｍｍ、坪量４０ｇ／ｍ2の綿繊維不織布（製品名「コットエースＣ０４０Ｓ／Ａ０１」、ユニチカ株式会社製）、および、補強不織布として幅９００ｍｍ、坪量３７ｇ／ｍ2の割繊維不織布（製品名「ワリフＬＸ１４」、ＪＸ日鉱日石ＡＮＣＩ株式会社製）を選定した。熱ラミネーターを用いて、幅８８０ｍｍ、坪量３０ｇ／ｍ2のポリエステル系熱接着性不織布（製品名「マリックスメルトＺ０３０３ＷＴＯ」、ユニチカ株式会社製）を介して貼り合わせ、積層不織布を得た。吸水性基材フィルムとして、幅９００ｍｍ、厚さ２５μｍの二軸延伸ナイロンフィルム（製品名「ＯＮＭＢＲＴ」、ユニチカ株式会社製）を選定した。押し出しラミネーターを用いて、前記ナイロンフィルムにポリエチレンイミン系アンカーコート剤０．５ｇ／ｍ2を塗布し、乾燥させた後、Ｔダイの多数のノズルから、溶融ポリエチレン樹脂を直線状に厚さ５０μｍ、幅約２ｍｍで、平行に２ｍｍ間隔で多数線状に押し出しつつ、前記積層不織布の割繊維不織布面と貼り合わせた。その後、当該積層フィルムの吸水性基材フィルム面全面に、ノンソルベントラミネーターを用いて二液硬化型ウレタン樹脂系無溶剤型接着剤２．２ｇ／ｍ2を塗布し、幅９００ｍｍ、坪量４０ｇ／ｍ2の芯鞘構造長繊維ポリエチレン不織布（製品名「エルベスＳ０４０３ＷＤＯ」、ユニチカ株式会社製）を、ラミネーター内でコロナ放電処理を施しながら貼り合わせ、３５℃で２日間エージングした。こうして、層構成が、不織布４０ｇ／ｍ2／接着剤層（熱接着性不織布）／補強不織布／接着剤層（線状押し出しポリエチレン５０μｍ）／基材フィルム２５μｍ／接着剤層（吸水性基材フィルム全面に塗布した無溶剤型接着剤）／ヒートシール性層４０ｇ／ｍ2の、本発明に係る水パッド用積層フィルムを得た。
【０１３４】
また、基材フィルムとして幅９００ｍｍ、厚さ２５μｍのナイロンフィルム（製品名「ボニールＲＸ」、株式会社興人製）に、ノンソルベントラミネーターを用いて、二液硬化型ウレタン樹脂系無溶剤型接着剤２．０ｇ／ｍ2を塗布し、幅９００ｍｍ、厚さ６０μｍの直鎖状低密度ポリエチレンフィルム（製品名「Ｌ４１０２」、東洋紡績株式会社製）を貼り合わせることにより、層構成、基材フィルム２５μｍ／接着剤層／ヒートシール性層６０μｍの、背面用積層フィルムを得た。
【０１３５】
（袋体の製造）
二軸製袋機に前記本発明に係る水パッド用積層フィルムと背面用積層フィルムをセットし、横取り製袋を実施すると共に、横シールバーを用いて、幅５ｍｍ、長さ２００ｍｍの体積抑制ヒートシール部を縦、横共に５０ｍｍ間隔で設けると共に、四方全ての周縁部に幅１０ｍｍのヒートシールを施して、幅３７０ｍｍ、長さ８６０ｍｍの四方シール袋を製造した。しかる後、当該水パッド用袋体の角部１箇所を４５度の角度で角の頂点から５０ｍｍの位置で切り落として、容量２リットルのＰＥＴボトルのキャップ（雌ねじ部）を接続口とする、内径１０ｍｍの注出具を、注出具溶着機を用いてヒートシールにより取り付け、前記接続口に２リットルＰＥＴボトルの雄ねじ部からなるプラグをねじ込み、本発明に係る水パッド用袋体を得た。
【０１３６】
（水パッドの製造）
前記水パッド用袋体のプラグを回して外し、接続口を上にして雌ねじ部を持って前記水パッド用袋体内に十分な量の（２リットル以上の）空気を導入した後、２リットルの水が入った２リットルのＰＥＴボトルを前記接続口にねじ込み、ＰＥＴボトルの開口部を下向きにして、ボトルの胴部を握ったり、放したりしてＰＥＴボトル内の水を全て前記水パッド用袋体内に充填した。その後、可能な限り水パッド用袋体内の空気を抜きつつ前記プラグを接続口にねじ込み、本発明に係る水パッドを得た。
前記水パッドの背面用積層フィルム側を下にして布団の上に横置きして背中の肋骨の部分が当たるようにして就寝した結果、臭気が感じられなかった。また、綿繊維不織布面が適度な湿り気を帯びることで柔軟性が増して肌触りが良く、汗を良く吸収し、かつ、表面で水分が蒸発することによってより心地よい冷感が得られた。また、補強不織布の効果で破袋し難いため、破袋を心配することなく寝返りを打てた。この結果から、背面用積層フィルムにも補強不織布を貼り合わせることにより更に強度が増し、屋外等、就寝面が凸凹でも破袋を心配せずに使用できた。
また、使用後は、水を入れるときに用いたＰＥＴボトルを接続し、接続口の位置を低くしてＰＥＴボトルを軽く握り、ＰＥＴボトル内の空気を追い出し、代わりに水パッド用袋体内の水をＰＥＴボトル内に吸い込むことで、容易に水パッドの水を回収でき、後片付けも容易に行えた。
【０１３７】
＜実施例１３＞
（積層フィルムの製造）
本発明に係る吸水性繊維からなる不織布として幅９００ｍｍ、坪量４０ｇ／ｍ2の綿繊維不織布（製品名「コットエースＣ０４０Ｓ／Ａ０１」、ユニチカ株式会社製）、および、補強不織布として幅９００ｍｍ、坪量３７ｇ／ｍ2の割繊維不織布（製品名「ワリフＬＸ１４」、ＪＸ日鉱日石ＡＮＣＩ株式会社製）を選定した。熱ラミネーターを用いて、幅８８０ｍｍ、坪量３０ｇ／ｍ2のポリエステル系熱接着性不織布（製品名「マリックスメルトＺ０３０３ＷＴＯ」、ユニチカ株式会社製）を介して貼り合わせ、積層不織布を得た。吸水性基材フィルムとして、幅９００ｍｍ、厚さ２５μｍの二軸延伸ナイロンフィルム（製品名「ＯＮＭＢＲＴ」、ユニチカ株式会社製）を選定し、押し出しラミネーターを用いて、前記ナイロンフィルムにポリエチレンイミン系アンカーコート剤０．５ｇ／ｍ2を塗布し、乾燥させた。その後、Ｔダイの多数のノズルから、溶融ポリエチレン樹脂を直線状に厚さ５０μｍ、幅約２ｍｍで、平行に２ｍｍ間隔で多数線状に押し出しつつ、前記積層不織布の割繊維不織布面と貼り合わせた。その後、当該積層フィルムの吸水性基材フィルム面に、スプレー塗布ホットメルトラミネーターを用いてエラストマー系ホットメルト接着剤を３ｇ／ｍ2塗布し、幅９００ｍｍ、坪量４０ｇ／ｍ2の芯鞘構造長繊維ポリエチレン不織布（製品名「エルベスＳ０４０３ＷＤＯ」、ユニチカ株式会社製）を貼り合わせた。こうして、層構成が、不織布４０ｇ／ｍ2／接着剤層（熱接着性不織布）／補強不織布／接着剤層（線状押し出しポリエチレン５０μｍ）／基材フィルム２５μｍ／接着剤層（スプレー塗布ホットメルト樹脂）／ヒートシール性層４０ｇ／ｍ2の、本発明に係る水パッド用積層フィルムを得た。
また、基材フィルムとして幅９００ｍｍ、厚さ２５μｍのナイロンフィルム（製品名「ボニールＲＸ」、株式会社興人製）に、ノンソルベントラミネーターを用いて、二液硬化型ウレタン樹脂系無溶剤型接着剤２．０ｇ／ｍ2を塗布し、幅９００ｍｍ、厚さ６０μｍの直鎖状低密度ポリエチレンフィルム（製品名「Ｌ４１０２」、東洋紡績株式会社製）を貼り合わせることにより、層構成、基材フィルム２５μｍ／接着剤層／ヒートシール性層６０μｍの、背面用積層フィルムを得た。
【０１３８】
（袋体の製造）
二軸製袋機に前記本発明に係る水パッド用積層フィルムと背面用積層フィルムをセットし、横取り製袋を実施すると共に、横シールバーを用いて、幅５ｍｍ、長さ２００ｍｍの体積抑制ヒートシール部を縦、横共に５０ｍｍ間隔で設けると共に、四方全ての周縁部に幅１０ｍｍのヒートシールを施して、幅３７０ｍｍ、長さ８６０ｍｍの四方シール袋を製造した。
しかる後、当該水パッド用袋体の角部１箇所を４５度の角度で角の頂点から５０ｍｍの位置で切り落として、容量２リットルのＰＥＴボトルのキャップ（雌ねじ部）を接続口とする、内径１０ｍｍの注出具を、注出具溶着機を用いてヒートシールにより取り付け、前記接続口に２リットルＰＥＴボトルの雄ねじ部からなるプラグをねじ込み、本発明に係る水パッド用袋体を得た。
（水パッドの製造）
前記水パッド用袋体のプラグを回して外し、接続口を上にして雌ねじ部を持って前記水パッド用袋体内に十分な量の（２リットル以上の）空気を導入した。その後、２リットルの水が入った２リットルのＰＥＴボトルを前記接続口にねじ込み、ＰＥＴボトルの開口部を下向きにして、ボトルの胴部を握ったり、放したりしてＰＥＴボトル内の水を全て前記水パッド用袋体内に充填した後、可能な限り水パッド用袋体内の空気を抜きつつ前記プラグを接続口にねじ込み、本発明に係る水パッドを得た。
前記水パッドの背面用積層フィルム側を下にして布団の上に横置きして背中の肋骨の部分が当たるようにして就寝した結果、臭気が感じられなかった。また、綿繊維不織布面が適度な湿り気を帯びることで柔軟性が増して肌触りが良く、汗を良く吸収し、かつ、表面で水分が蒸発することによってより心地よい冷感が得られた。また、補強不織布の効果で破袋し難いため、破袋を心配することなく寝返りを打てた。この結果から、背面用積層フィルムにも補強不織布を貼り合わせることにより更に強度が増し、屋外等、就寝面が凸凹でも破袋を心配せずに使用できた。
また、使用後は、水を入れるときに用いたＰＥＴボトルを接続し、接続口の位置を低くしてＰＥＴボトルを軽く握り、ＰＥＴボトル内の空気を追い出し、代わりに水パッド用袋体内の水をＰＥＴボトル内に吸い込むことで、容易に水パッドの水を回収でき、後片付けも容易に行えた。
【０１３９】
＜比較例３＞
（比較用積層フィルムの製造）
比較用積層フィルムとして、実施例１３の吸水性基材フィルムの代わりに、幅９００ｍｍ、厚さ２５μｍの二軸延伸ポリエチレンテレフタレイトフィルム（製品名「Ｅ５２０２」、東洋紡績株式会社製）を選定した点以外は、不織布、貼り合わせ方法共に実施例１３と同じ積層フィルムを製造した。こうして、層構成が、不織布４０ｇ／ｍ2／接着剤層（熱接着性不織布）／補強不織布／接着剤層（線状押し出しポリエチレン５０μｍ）／基材フィルム２５μｍ／接着剤層（スプレー塗布ホットメルト樹脂）／ヒートシール性層４０ｇ／ｍ2の、比較用の積層フィルムを得た。
【０１４０】
（袋体の製造）
実施例１３と同じ二軸袋製袋機に、前記比較用積層フィルムと、実施例１３で用いた背面用積層フィルムをセットして実施例１３と同様に横取り製袋を実施し、幅３７０ｍｍ、長さ８６０ｍｍの、体積抑制ヒートシール部を有する四方シール袋を得た。その後、実施例１３同様に水パッド用袋体の角を切り落とし、実施例１３と同じ注出具を取り付け、比較用の注出具付き水パッド用袋体を得た。
（水パッドの製造）
実施例１３と同様にして前記注出具付き水パッド用袋体に水を充填した後、可能な限り水パッド用袋体内の空気を抜きつつ前記プラグを接続口にねじ込むことにより、比較用の水パッドを得た。
前記水パッドの背面用積層フィルム側を下にして布団の上に横置きして背中の肋骨の部分が当たるようにして就寝した結果、ほぼ無臭だったが、ゴワゴワして使用感が悪く、表面の不織布は実施例１３と同じであるにも拘わらず、肌触りは良くなかった。
【符号の説明】
【０１４１】
１      水パッド用積層フィルム
２      吸水性繊維からなる不織布
３      接着剤層
４      吸水性基材フィルム
５      ヒートシール性層
６      補強用不織布
７      水パッド用袋体
８      開口部
９      収納室
１０      計量室
１１      周縁ヒートシール部
１２      体積抑制ヒートシール部
１３      口部ジッパー
１４      仕切りジッパー
１５      注出具
１６      水パッド
１７      応力検知ヒートシール部
１００    ノンソルベントラミネーター
１０１    ピックアップロール
１０２    コーティングロール
１０３    ニップロール
１０４    圧着ロール
【図１】
0005782890.tif 000002
【図２】
0005782890.tif 000003
【図３】
0005782890.tif 000004
【図４】
0005782890.tif 000005
【図５】
0005782890.tif 000006
【図６】
0005782890.tif 000007
【図７】
0005782890.tif 000008
【図８】
0005782890.tif 000009
【図９】
0005782890.tif 000010
【図１０】
0005782890.tif 000011
【図１１】
0005782890.tif 000012
【図１２】
0005782890.tif 000013
【図１３】
0005782890.tif 000014
【図１４】
0005782890.tif 000015
【図１５】
0005782890.tif 000016
【図１６】
0005782890.tif 000017
【図１７】
0005782890.tif 000018